(57)【要約】  帯域内制御シグナリングを利用するバッファ処理の方法、ネットワークノード、およびコンピュータプログラム製品が、本明細書に開示される。方法は、ユーザ機器（８３０）に送信されるべき第１のデータを、バッファメモリ（１５１０）に格納することを含む。方法は更に、破棄メッセージを第２のネットワークノード（１６００；１３２０）から取得することを含む。方法はまた、破棄メッセージ（１３３０）に基づいて第１のデータを破棄することを含む。別の実施形態では、方法は、送信状態フィードバックメッセージ（１４１０）を取得することを含む。方法はまた、第２のネットワークノード（１５００）の第１のバッファメモリ（１５１０）が第１のデータを包含すると判定することを含む。方法は更に、破棄メッセージを第２のネットワークノード（１５００）に伝送することを含む。破棄メッセージは、第２のネットワークノード（１５００）が第１のデータを破棄すること（１４３０）の指示を含む。【選択図】図１４
2020526091.tif 000002
【特許請求の範囲】
【請求項１】
ネットワークノード（１５００）で使用される、帯域内制御シグナリングを利用するバッファ処理の方法（１３００）であって、
ユーザ機器（８３０）に送信される第１のデータをバッファメモリ（１５１０）に格納することと、
破棄メッセージを第２のネットワークノード（１６００；１３２０）から取得することと、
前記破棄メッセージ（１３３０）に基づいて前記第１のデータを破棄することとを含む、方法（１３００）。
【請求項２】
前記第１のデータが、第３のネットワークノード（１５００；１３１０）に格納された第２のデータに対して冗長である、請求項１に記載の方法（１３００）。
【請求項３】
前記破棄メッセージが、ＧＰＲＳトンネリングプロトコルユーザプレーン（ＧＴＰ−Ｕ）パケットデータユニット（ＰＤＵ）を含む、請求項２に記載の方法（１３００）。
【請求項４】
前記ＧＰＲＳトンネリングプロトコルユーザプレーンパケットデータユニットが、ＧＴＰ−Ｕ  ＰＤＵのネクストエクステンションヘッダ内の指示を含む、請求項３に記載の方法（１３００）。
【請求項５】
前記バッファメモリ（１５１２）が複数のデータを格納し、前記複数のデータの各データが関連付けられた番号を有する、請求項１から４のいずれか一項に記載の方法（１３００）。
【請求項６】
前記破棄メッセージが、特定の関連付けられた番号以下の関連付けられた番号を有する前記第１のデータを破棄することの指示を含む、請求項５に記載の方法（１３００）。
【請求項７】
前記破棄メッセージが、列挙されている関連付けられた番号を有する前記第１のデータを破棄することの指示を含む、請求項５に記載の方法（１３００）。
【請求項８】
前記破棄メッセージが、第２のデータが前記ユーザ機器（８３０）によって受信されていることの確認応答メッセージが前記第２のネットワークノード（１６００）によって受信された後に取得される、請求項１から７のいずれか一項に記載の方法（１３００）。
【請求項９】
ネットワークノード（１６００）で使用される、帯域内制御シグナリングを利用するバッファ処理の方法（１４００）であって、
送信状態フィードバックメッセージ（１４１０）を取得することと、
第２のネットワークノード（１５００）の第１のバッファメモリ（１５１０）が第１のデータを包含すると判定することと、
前記第２のネットワークノード（１５００）が前記第１のデータを破棄すること（１４３０）の指示を含む破棄メッセージを、前記第２のネットワークノード（１５００）に伝送することとを含む、方法（１４００）。
【請求項１０】
前記第１のデータが、第３のネットワークノード（１５００；１４２０）の第２のバッファメモリ（１５１０）に格納された第２のデータに対して冗長である、請求項９に記載の方法（１４００）。
【請求項１１】
前記送信状態フィードバックメッセージが、前記第３のネットワークノード（１５００）から取得され、前記第３のネットワークノード（１５００）が前記第２のデータをユーザ機器（８３０）に届けたことの指示を含む、請求項１０に記載の方法（１４００）。
【請求項１２】
前記送信状態フィードバックメッセージが、前記第２のネットワークノード（１５００）から取得され、前記第２のネットワークノード（１５００）とユーザ機器（８３０）との間の無線接続が劣化していることの指示を含む、請求項１０に記載の方法（１４００）。
【請求項１３】
前記第２のネットワークノード（１５００）および前記第３のネットワークノード（１５００）が基地局である、請求項１０に記載の方法（１４００）。
【請求項１４】
第２の破棄メッセージを前記第３のネットワークノード（１５００）に伝送することをさらに含み、前記第３のネットワークノード（１５００）が、前記第３のネットワークノード（１５００）が前記第２のデータをユーザ機器（８３０）に届けている場合、前記破棄メッセージを無視するように構成される、請求項１０に記載の方法（１４００）。
【請求項１５】
前記第２のネットワークノード（１５００）が第１の無線アクセス技術を使用し、前記第３のネットワークノード（１５００）が第２の無線アクセス技術を使用し、前記第１の無線アクセス技術が前記第２の無線アクセス技術とは異なる、請求項１０から１４のいずれか一項に記載の方法（１４００）。
【請求項１６】
前記第１の無線アクセス技術がＬｏｎｇ−Ｔｅｒｍ  Ｅｖｏｌｕｔｉｏｎであり、前記第２の無線アクセス技術が新無線（ＮＲ）である、請求項１５に記載の方法（１４００）。
【請求項１７】
前記第２のネットワークノード（１５００）および前記第３のネットワークノード（１５００）が交互にデータをユーザ機器（８３０）に伝送する、請求項１０から１６のいずれか一項に記載の方法（１４００）。
【請求項１８】
前記破棄メッセージがＧＰＲＳトンネリングプロトコルユーザプレーン（ＧＴＰ−Ｕ）パケットデータユニット（ＰＤＵ）を含む、請求項１０から１７のいずれか一項に記載の方法（１４００）。
【請求項１９】
前記ＧＰＲＳトンネリングプロトコルユーザプレーンパケットデータユニットが、ＧＴＰ−Ｕ  ＰＤＵのネクストエクステンションヘッダ内の指示を含む、請求項１８に記載の方法（１４００）。
【請求項２０】
前記第１のバッファメモリ（１５１０）が複数のデータを格納し、前記複数のデータの各データが関連付けられた番号を有する、請求項１０から１９のいずれか一項に記載の方法（１４００）。
【請求項２１】
前記破棄メッセージが、特定の関連付けられた番号以下の関連付けられた番号を有する前記第１のデータを破棄することの指示を含む、請求項２０に記載の方法（１４００）。
【請求項２２】
前記破棄メッセージが、列挙されている関連付けられた番号を有する前記第１のデータを破棄することの指示を含む、請求項２０に記載の方法（１４００）。
【請求項２３】
帯域内制御シグナリングを利用するバッファ処理のためのネットワークノード（１５００）であって、
少なくとも１つの処理回路構成と、
プロセッサ実行可能命令を格納する、少なくとも１つの記憶装置（１５１０）とを備え、前記プロセッサ実行可能命令が前記処理回路構成によって実行されると、ネットワークノード（１５００）に、
ユーザ機器（８３０）に送信されるべき第１のデータを格納させ、
破棄メッセージを第２のネットワークノード（１６００）から取得させ、
前記破棄メッセージに基づいて前記第１のデータを破棄させる、ネットワークノード（１５００）。
【請求項２４】
前記第１のデータが、第３のネットワークノード（１５００）に格納された第２のデータに対して冗長である、請求項２３に記載のネットワークノード（１５００）。
【請求項２５】
前記破棄メッセージが、ＧＰＲＳトンネリングプロトコルユーザプレーン（ＧＴＰ−Ｕ）パケットデータユニット（ＰＤＵ）を含む、請求項２４に記載のネットワークノード（１５００）。
【請求項２６】
前記ＧＰＲＳトンネリングプロトコルユーザプレーンパケットデータユニットが、ＧＴＰ−Ｕ  ＰＤＵのネクストエクステンションヘッダ内の指示を含む、請求項２５に記載のネットワークノード（１５００）。
【請求項２７】
前記少なくとも１つの記憶装置（１５１０）が複数のデータを格納し、前記複数のデータの各データが関連付けられた番号を有する、請求項２４から２６のいずれか一項に記載のネットワークノード（１５００）。
【請求項２８】
前記破棄メッセージが、特定の関連付けられた番号以下の関連付けられた番号を有する前記第１のデータを破棄することの指示を含む、請求項２７に記載のネットワークノード（１５００）。
【請求項２９】
前記破棄メッセージが、列挙されている関連付けられた番号を有する前記第１のデータを破棄することの指示を含む、請求項２７に記載のネットワークノード（１５００）。
【請求項３０】
前記破棄メッセージが、第２のデータが前記ユーザ機器（８３０）によって受信されていることの確認応答メッセージが前記第２のネットワークノード（１６００）によって受信された後に取得される、請求項２３から２９のいずれか一項に記載のネットワークノード（１５００）。
【請求項３１】
帯域内制御シグナリングを利用するバッファ処理のためのネットワークノード（１６００）であって、
少なくとも１つの処理回路構成と、
プロセッサ実行可能命令を格納する、少なくとも１つの記憶装置とを備え、前記プロセッサ実行可能命令が前記処理回路構成によって実行されると、ネットワークノード（１６００）に、
送信状態フィードバックメッセージを取得させ、
第２のネットワークノード（１５００）の第１のバッファメモリ（１５１０）が第１のデータを包含すると判定させ、
前記第２のネットワークノード（１５００）が前記第１のデータを破棄することの指示を含む破棄メッセージを、前記第２のネットワークノード（１５００）に伝送させる、ネットワークノード（１６００）。
【請求項３２】
前記第１のデータが、第３のネットワークノード（１５００）の第２のバッファメモリ（１５１０）に格納された第２のデータに対して冗長である、請求項３１に記載のネットワークノード（１６００）。
【請求項３３】
前記送信状態フィードバックメッセージが、前記第３のネットワークノード（１５００）から取得され、前記第３のネットワークノード（１５００）が前記第２のデータをユーザ機器（８３０）に届けたことの指示を含む、請求項３２に記載のネットワークノード（１６００）。
【請求項３４】
前記送信状態フィードバックメッセージが、前記第２のネットワークノード（１５００）から取得され、前記第２のネットワークノード（１５００）とユーザ機器（８３０）との間の無線接続が劣化していることの指示を含む、請求項３２に記載のネットワークノード（１６００）。
【請求項３５】
前記第２のネットワークノード（１５００）および前記第３のネットワークノード（１５００）が基地局である、請求項３２に記載のネットワークノード（１６００）。
【請求項３６】
前記プロセッサ実行可能命令が、実行されると、前記ネットワークノード（１６００）に、第２の破棄メッセージを前記第３のネットワークノード（１５００）に伝送させ、前記第３のネットワークノード（１５００）が、前記第３のネットワークノード（１５００）が前記第２のデータをユーザ機器（８３０）に届けている場合、前記破棄メッセージを無視するように構成される、請求項３２に記載のネットワークノード（１６００）。
【請求項３７】
前記第２のネットワークノード（１５００）が第１の無線アクセス技術を使用し、前記第３のネットワークノード（１５００）が第２の無線アクセス技術を使用し、前記第１の無線アクセス技術が前記第２の無線アクセス技術とは異なる、請求項３２から３６のいずれか一項に記載のネットワークノード（１６００）。
【請求項３８】
前記第１の無線アクセス技術がＬｏｎｇ−Ｔｅｒｍ  Ｅｖｏｌｕｔｉｏｎであり、前記第２の無線アクセス技術が新無線（ＮＲ）である、請求項３７に記載のネットワークノード（１６００）。
【請求項３９】
前記第２のネットワークノード（１５００）および前記第３のネットワークノード（１５００）が交互にデータをユーザ機器（８３０）に伝送する、請求項３２から３８のいずれか一項に記載のネットワークノード（１６００）。
【請求項４０】
前記破棄メッセージが、ＧＰＲＳトンネリングプロトコルユーザプレーン（ＧＴＰ−Ｕ）パケットデータユニット（ＰＤＵ）を含む、請求項３２から３９のいずれか一項に記載のネットワークノード（１６００）。
【請求項４１】
前記ＧＰＲＳトンネリングプロトコルユーザプレーンパケットデータユニットが、ＧＴＰ−Ｕ  ＰＤＵのネクストエクステンションヘッダ内の指示を含む、請求項４０に記載のネットワークノード（１６００）。
【請求項４２】
前記第１のバッファメモリ（１５１０）が複数のデータを格納し、前記複数のデータの各データが関連付けられた番号を有する、請求項３２から４１のいずれか一項に記載のネットワークノード（１６００）。
【請求項４３】
前記破棄メッセージが、特定の関連付けられた番号以下の関連付けられた番号を有する前記第１のデータを破棄することの指示を含む、請求項４２に記載のネットワークノード（１６００）。
【請求項４４】
前記破棄メッセージが、列挙されている関連付けられた番号を有する前記第１のデータを破棄することの指示を含む、請求項４２に記載のネットワークノード（１６００）。
【請求項４５】
コンピュータ可読プログラムコードを格納する非一時的コンピュータ可読媒体（１５００）を備える、コンピュータプログラム製品であって、当該コンピュータ可読プログラムが、
ユーザ機器に送信されるべき第１のデータをバッファメモリに格納するプログラムコードと、
破棄メッセージを第２のネットワークノードから取得するプログラムコードと、
前記破棄メッセージに基づいて前記第１のデータを破棄するプログラムコードとを含む、コンピュータプログラム製品。
【請求項４６】
コンピュータ可読プログラムコードを格納する非一時的コンピュータ可読媒体（１６００）を備える、コンピュータプログラム製品であって、当該コンピュータ可読プログラムが、
送信状態フィードバックメッセージを取得するプログラムコードと、
第２のネットワークノードの第１のバッファメモリが第１のデータを包含すると判定するプログラムコードと、
前記第２のネットワークノードが前記第１のデータを破棄することの指示を含む破棄メッセージを、前記第２のネットワークノードに伝送するプログラムコードとを含む、コンピュータプログラム製品。
【発明の詳細な説明】
【技術分野】
【０００１】
特定の実施形態は、バッファ処理技術に関し、より具体的には、冗長データを破棄するのに、５Ｇ世代無線で帯域内制御シグナリングを利用する方法、装置、およびシステムに関する。
【背景技術】
【０００２】
現在の最新のバッファ処理技術は、通常、アクティブキュー管理（ＡＱＭ）と呼ばれる場合がある、バッファリングされたデータを制御するエイジベース（age-based）または量ベースの方法を利用する。ＡＱＭは元々、単一接続（ＳＣ）シナリオで働くことが想起されたが、二重または多重接続のシナリオ（以下、集合的にＭＣと呼ばれる）でも有益である。しかしながら、ＡＱＭの機能性は、同じデータが両方のＤＣレッグ（DC legs）で伝送されているＭＣシナリオでは、補完する必要がある。
【０００３】
ＡＱＭは、通常、バッファがデータ量に関して特定のレベルに達するまで、またはバッファ内のデータが特定のエイジに達し、その後データが破棄されるまで、データがバッファ内に保持されることを意味する、バッファリングされたデータを制御するエイジベースまたは数量ベースの方法を使用する。ＤＣの問題は、レガシーＡＱＭ制御が、バッファを制御するのにパケットエイジまたはパケット量のみを使用し、同じデータが２つの別個の５Ｇ無線ネットワークノード（以下、分散基地局（ＤＵ）と呼ばれる）に伝送されたが、一方のＤＵのみがユーザ機器（ＵＥ）への送信に成功したシナリオにおいて、データを破棄する方法を提供しないことである。このことによって、他方のＤＵに存在しているデータが冗長になる。
【０００４】
一例として、データがＤＣシナリオの両方のレッグを通じて伝送されており、データ送信が均衡している場合、ＵＥは、両方のＤＵから多かれ少なかれ順にデータを受信することになる。しかしながら、２つのＤＵからＵＥへのデータ送信が完全に同期される可能性はなく、したがって、ＵＥは、パケットデータコンバージェンスプロトコル（ＰＤＣＰ）レベルで並べ替えバッファを備えるので、データはわずかに外れた順序で両方のレッグから到達するが、依然として高位レイヤに順番に届けることができる。ＵＥのこの機能性によって、両方のレッグからのデータ送信が合理的に良く同期されていて、両方のＤＵのバッファが均衡している限り、アクティブなバッファ制御は不要であることが確保される。
【０００５】
送信機会ごとに大幅に異なることがある、利用可能な帯域幅を完全に利用するために、両方のＤＵは、各送信に利用可能な十分なデータが常にあることを確保するのに、特定のバッファマージンを必要とする。しかしながら、２つのレッグの無線送信条件は大幅に異なることがあり、場合によっては２つのレッグは、大きさが一桁異なることがある、例えば約３および３０ＧＨｚの、異なる周波数で動作していることもある。このことは、一方のレッグにおける無線条件およびカバレッジ条件が安定したままである間、他方のレッグの無線条件が急に著しく劣化するか、または更には一時的に完全に停止する場合がある。
【０００６】
結果として、各ＤＣバッファにすでにデータが存在しており、そのデータはともに空中にあることがあり、またＣＵのフロー制御がスループットの変化に合わせてデータフローを調節する前に、特定の反応時間があるという事実があるので、一方のレッグのカバレッジが失われた場合、ＤＵに存在している相当量のデータがＵＥに送信できなくなる。ＵＥが有する並べ替えバッファは限定されているので、このデータはできるだけ早く他方のレッグを通じて再送信する必要がある。この再送信されたデータが次に、最良の無線条件でＤＵによって成功裏に送信された場合、このことによって他方のＤＵにあるデータが冗長になる。結果として、ＤＣのシナリオでは、データを両方のレッグで伝送するのが必要だが、場合によっては、一方のレッグに存在しているデータが冗長になり、利用可能な帯域幅を無駄にしないために破棄する必要がある。
【発明の概要】
【０００７】
上述の問題に既存の解決策で対処するため、帯域内制御シグナリングを利用するバッファ処理の方法およびネットワークノードが開示される。
【０００８】
本明細書に開示する解決策は、帯域内制御シグナリングを利用する、冗長データをバッファから便宜上消去する方法を含む。この方法は、カバレッジが限定されてより高い周波数が関与する、５Ｇ二重接続シナリオにおいて特に有益である。破棄情報を伝達するいくつかの方法が可能であるが、１つの可能な方法は、ＧＰＲＳトンネリングプロトコルユーザプレーン（ＧＴＰ−Ｕ）パケットデータユニット（ＰＤＵ）におけるネクストエクステンションヘッダ（Ｎｅｘｔ  Ｅｘｔｅｎｓｉｏｎ  Ｈｅａｄｅｒ）フィールドを利用する。この破棄信号は、両方のレッグのどちらかで伝送されてもよく（その場合、データを既に送信しているＤＵはメッセージを無視するように構成される）、または別の実施形態では、冗長データが存在しているノードにのみ伝送されてもよい。破棄の指示を一方または両方のＤＵに伝送するトリガは、同じデータが両方のレッグで伝送されていること、ならびに同じデータの確認応答（ＡＣＫ）が、ＤＵの両方、ＤＵの一方、またはＵＥからＣＵで受信されることであり、ＤＵは確認応答をＵＥから受信する。確認応答はＰＤＣＰ  ＡＣＫであってもよい。
【０００９】
破棄の指示はまた、バッファ制御の手段として伝送されてもよい。データが重複しない場合であっても、変化する無線条件のため、現在の送信速度が数秒であることを所与として、キューに存在しているデータの量は送信にかかる時間に関して測定される。
【００１０】
いくつかの実施形態は、ネットワークノードが物理的に互いから分離されているクラウドの実現例から利益を得る。例えば、仮想化環境では、ＵＥにサービングしているＤＵは、物理的および周波数領域の両方で分離されてもよく、つまり、別個のＤＵそれぞれの送信特性は時間に伴って大幅に変動することがあり、したがって、冗長データをできるだけ便宜的に破棄できることが特に重要である。
【００１１】
本明細書では、本明細書に開示する課題の１つまたは複数に対処する様々な実施形態が提案される。かかる１つの実施形態は、ネットワークノードで使用される、帯域内制御シグナリングを利用するバッファ処理の方法を含む。方法は、第１のデータをバッファメモリに格納することを含む。第１のデータはＵＥに送信される。方法は、それに加えて、破棄メッセージを第２のネットワークノードから取得することと、破棄メッセージに基づいて第１のデータを破棄することとを含む。別の実施形態は、基地局によって実施される、帯域内制御シグナリングを利用するバッファ処理の方法を含む。方法は、第１のデータをバッファに格納することを含む。データは第１のＵＥに送信される。方法は、それに加えて、第１のＵＥが第１のデータを受信したことを示す確認応答メッセージを第１のＵＥから受信する前に、破棄メッセージを取得することを含む。方法は更に、破棄メッセージに基づいて第１のデータをバッファから破棄することを含む。
【００１２】
いくつかの実施形態では、破棄メッセージはＧＴＰ−Ｕ  ＰＤＵを含む。特定の実施形態では、ＧＴＰ−Ｕ  ＰＤＵは、ＧＴＰ−Ｕ  ＰＤＵのネクストエクステンションヘッダにある指示を含む。
【００１３】
いくつかの実施形態では、バッファは、関連付けられた番号をそれぞれ有する複数のデータを含む。それに加えて、破棄メッセージは、特定の番号以下のバッファ内の全てのデータが破棄されるべきであるとの指示を含む。いくつかの実施形態では、破棄メッセージは、特定の番号のデータが破棄されるべきであるとの指示を含む。
【００１４】
別の実施形態は、ネットワークノードによって実施される、帯域内制御シグナリングを利用するバッファ処理の方法を含む。方法は、送信状態フィードバックメッセージを取得することを含む。方法は、それに加えて、第２のネットワークノードの第１のバッファメモリが第１のデータを包含すると判定することを含む。方法はまた、第２のネットワークノードが第１のデータを破棄することの指示を含む破棄メッセージを、第２のネットワークノードに伝送することを含む。更に別の実施形態は、ネットワークノードによって実施される、帯域内制御シグナリングを利用するバッファ処理の方法を含む。方法は、第１の送信状態フィードバックメッセージを取得することを含む。方法は、それに加えて、第１の送信状態フィードバックメッセージに基づいて、第１の基地局のバッファが冗長データを包含すると判定することを含む。方法はまた、第１の基地局が冗長データを破棄することの指示を含む破棄メッセージを、第１の基地局に伝送することを含む。
【００１５】
いくつかの実施形態では、第１の送信状態フィードバックメッセージは第２の基地局から取得される。第１の送信状態フィードバックメッセージは、第２の基地局が冗長データをＵＥに届けたことの指示を含む。いくつかの実施形態では、第１の基地局は第１の無線アクセス技術（例えば、ＬＴＥ）を使用し、第２の基地局は、第１のアクセス技術とは異なる第２のアクセス技術（例えば、ＮＲ）を使用する。いくつかの実施形態では、第１の基地局および第２の基地局は交互にデータをＵＥに伝送する。
【００１６】
特定の実施形態では、第１の送信状態フィードバックメッセージは第１の基地局から取得される。第１の送信状態フィードバックメッセージは、第１の基地局とＵＥとの間の無線接続が劣化していることの指示を含む。
【００１７】
特定の実施形態は、以下の技術的利点の１つまたは複数を提供してもよい。冗長データは、エアインターフェースを通じて送信される前に破棄することができるので、貴重な帯域幅を節約できる。別の利点は、カバレッジを一時的に失ったＤＵがその冗長データのバッファを消去することができ、カバレッジが回復するとすぐに新しいデータを送信できる状態にあることである。
【００１８】
以下の詳細な説明および図面に照らして、他の様々な特徴および利点が当業者には明白となるであろう。特定の実施形態は、上記に列挙した利点を１つも有さないか、そのいくつか、または全てを有してもよい。
【００１９】
本明細書に組み込まれその一部を形成する添付図面は、本開示の複数の態様を例示し、明細書と合わせて本開示の原理を説明する役割を果たす。
【図面の簡単な説明】
【００２０】
【図１】特定の実施形態による、多重接続のシナリオにおける中央基地局および分散基地局の一例を示す図である。
【図２】特定の実施形態による、データフィールドの一例を示す図である。
【図３】特定の実施形態による、データフィールドの別の例を示す図である。
【図４】特定の実施形態による、無線ネットワークの一例を示す図である。
【図５】特定の実施形態による、ユーザ機器の一例を示す図である。
【図６】特定の実施形態による、仮想化環境の一例を示す図である。
【図７】特定の実施形態による、中間ネットワークを介してホストコンピュータに接続される電気通信ネットワークの一例を示す図である。
【図８】特定の実施形態による、部分無線接続を通じて基地局を介してユーザ機器と通信しているホストコンピュータの一例を示す図である。
【図９】特定の実施形態による、ホストコンピュータ、基地局、およびユーザ機器を含む通信システムにおいて実現される方法の一例を示す図である。
【図１０】特定の実施形態による、ホストコンピュータ、基地局、およびユーザ機器を含む通信システムにおいて実現される方法の別の例を示す図である。
【図１１】特定の実施形態による、ホストコンピュータ、基地局、およびユーザ機器を含む通信システムにおいて実現される方法の別の更なる例を示す図である。
【図１２】特定の実施形態による、ホストコンピュータ、基地局、およびユーザ機器を含む通信システムにおいて実現される方法の別の例を示す図である。
【図１３】特定の実施形態による、ネットワークノードにおける方法を示すフロー図である。
【図１４】特定の実施形態による、ネットワークノードにおける別の方法を示すフロー図である。
【図１５】特定の実施形態による、例示の基地局を示す概略ブロック図である。
【図１６】特定の実施形態による、例示のネットワークノードを示す概略ブロック図である。
【発明を実施するための形態】
【００２１】
以下、本明細書において想到される実施形態のいくつかについて、添付図面を参照してさらに十分に記載する。しかしながら、他の実施形態が本明細書に開示する主題の範囲内に含まれ、開示する主題は、本明細書で説明する実施形態のみに限定されるものと解釈されるべきではなく、それよりもむしろ、これらの実施形態は、主題の範囲を当業者に伝えるために例として提供されるものである。
【００２２】
一般に、本明細書で使用する全ての用語は、異なる意味が明確に与えられない限り、ならびに／あるいは異なる意味がその用語を使用している文脈から示唆されない限り、関連技術分野におけるそれらの本来の意味にしたがって解釈されるべきものである。要素、装置、構成要素、手段、ステップなどに対する全ての参照は、別の形で明示的に定義されない限り、要素、装置、構成要素、手段、ステップなどの少なくとも一例を指すものと広く解釈されるべきである。本明細書に開示するいずれかの方法のステップは、あるステップが別のステップの後または前に行われると明示的に記載されない限り、ならびに／あるいはあるステップが別のステップの後または前に行われなければならないと示唆されない限り、開示する順序で正確に実施されなければならないものではない。本明細書に開示する実施形態のいずれかにおけるあらゆる特徴は、適切であれば、他のいずれかの実施形態に適用されてもよい。同様に、実施形態のいずれかにおけるあらゆる利点は、他のいずれかの実施形態に当てはまることがあり、その逆もまた真である。含まれる実施形態の他の目的、特徴、および利点は、以下の説明から明白になるであろう。
【００２３】
本明細書には、新しい５Ｇ世代の無線におけるバッファ処理に関する実施形態が開示される。本明細書では、冗長データを破棄するのに帯域内制御シグナリングを利用することによって、バッファ処理を改善する手法が提案される。
【００２４】
データフローの制御、およびデータの各ユニットがどのＤＵに伝送されるかの制御は、以下、中央基地局（ＣＵ）と呼ばれる、５Ｇパケット処理機能に存在していてもよく、それは、ＤＵと新世代コアネットワーク（ＮＧＣ）との間に別個のノードとして論理的に配置されるか、またはＤＵの一方に常駐してもよいが、両方のＤＵの間でのデータトラフィックの分割を制御し、結果として制御用の補助ＤＵが作成される。ＣＵは、統合されたノード、コンポーネント、またはユニットとして、ＤＵの一方に存在してもよい。いくつかの実施形態では、ＣＵはＤＵとは別個のノードであってもよい。ＣＵ機能は、ＤＣシナリオにおいて高位レイヤから伝送されたデータが、各レッグのデータ処理容量に基づいて２つのレッグの間で適切に分割されることを確保する、フロー制御の機能性を含む。ＣＵは１つのユニットであってもよく、またはユーザプレーンおよび制御データを別個に処理する２つの別個の機能に、論理的および物理的に分割されてもよいことが注目される。
【００２５】
ＤＵおよびＣＵという用語は、本明細書では、３ＧＰＰ標準化におけるこれらのネットワークノードを所与とした名称と一致するように使用されてもよい。いくつかの実施形態では、ＣＵはｖＰＰおよびｖＲＣに分割され、ＢＰＦという用語はＤＵに使用されてもよい。
【００２６】
図１は、特定の実施形態による、多重接続のシナリオにおける中央基地局１２０および分散基地局１１０の一例である。本明細書に開示するＤＵ  １１０のバッファ制御に関する一般的な使用例は、ＭＣの場合、またはＭＣのシナリオ１００においてレッグ間でデータ送信を切り替える場合である。少なくとも２つのレッグ１１０、例えばＬＴＥのレッグ１およびＮＲのレッグ２が関与するＭＣのシナリオ１００では、フロー制御は、無線リンク制御（ＲＬＣ）／媒体アクセス制御（ＭＡＣ）１１２がデータを引き出すことができる各レッグ１１０に対してＰＤＣＰ  １１１データバッファを維持する。このＭＣのシナリオ１００では、レッグ１１０は分散基地局である。各レッグ１１０の利用可能な帯域幅を十分に利用する、可能な限り最も高い集約速度を達成するために、フロー制御は、バッファサイズに関してわずかなマージンを維持する必要があり、即ち、任意の所与の時間において、瞬間的なＬ１の帯域幅容量を十分に利用するのに利用可能なデータが十分にない可能性を回避するのに、両方のレッグ１１０でわずかな余剰のＰＤＣＰ  １１１データが必要である。分散基地局１１０の機能性を含んでもよいノードの更なる詳細な説明は、図４に示される。
【００２７】
これは、一方のレッグ１１０の無線条件が劣化すると、部分的には送信を待つバッファ内にすでに存在しているパケットのためだけでなく、フロー制御が変化した無線条件を意識し、フローレートを制御できるようになる前に、フロー制御によって送信されるＰＤＣＰ  １１１パケットのために、パケットエイジが急激に増加することを意味する。それに加えて、一方のレッグ１１０がカバレッジを完全に失った場合、データは、他方のレッグ１１０で送信されることが必要なことがあり、それによってカバレッジの問題があるレッグ１１０のデータは、データが他方のレッグ１１０で成功裏に送信されるとすぐに冗長になる。
【００２８】
それに加えて、データ送信が２つのレッグ１１０の間で交互に切り替えられるＭＣのシナリオ１００では、送信が中断されているレッグ１に残されたデータは他方のレッグ１１０（レッグ２）を通じて送信されるので、そのデータは破棄されるのが有益である。このことによって、レッグ１に存在している冗長データ（レッグ２を通じて送信されているので冗長である）が破棄され、レッグ１は送信できる状態になる。
【００２９】
結果として、冗長データを、カバレッジの問題があるレッグ１１０のＰＤＣＰ  １１１のキューから除去する必要がある。それに加えて、ＰＤＣＰ  １１１のキューにはもうないが、ＲＬＣ  １１２に既に伝達されており、送信されるプロセス中にある、ＰＤＣＰ  １１１のデータを除去するのが有益である。データの廃棄と関連付けられる機能性の更なる詳細な説明は、図１３に示される。
【００３０】
いくつかの実施形態では、破棄データの決定は、ＤＵ  １１０からの送信状態フィードバックに基づく。フロー制御の目的のため、両方のＤＵ  １１は、各レッグ１１１においてどのＰＤＣＰ  １１１のＰＤＵが届けられているかに関するフィードバック情報を提供する。この情報は、どのレッグ１１０で帯域内破棄メッセージを伝送するかを決定するのに、ＣＵ  １２０のバッファ破棄制御機能によって使用される。一例として、レッグ２に伝送されるデータは遅延されてもよく、同じデータをレッグ１で送信する決定がＣＵ  １２０で行われる。結果として、同じデータは現在両方のレッグ１１０に存在しており、送信条件に応じて、一方のレッグ１１０が、データが成功裏に送信されているというフィードバック情報を提供する。これは、帯域内ＧＴＰ−Ｕ破棄指示の送信を始動する。いくつかの実施形態では、帯域内ＧＴＰ−Ｕ破棄指示は破棄メッセージである。特定の実施形態では、ＣＵ  １２０の機能性はＤＵ  １１０に存在してもよい。いくつかの実施形態では、ＤＵ  １１０は、ＣＵ  １２０の機能を実施するプロセッサを備えてもよい。破棄の指示を伝送するＣＵ  １２０の更なる説明は、図１４に示される。
【００３１】
図２は、特定のＰＤＣＰ  ＳＮ以下の全てのＰＤＣＰ  ＰＤＵが破棄されるべきであることを指定する破棄の指示を示し、図３は、破棄するＰＤＣＰ  ＳＮの１つまたは多数のブロックを指定している。
【００３２】
以下の図２および３は、例示の実施形態であり、図２および３の例で概略を説明しているのと同じ破棄の指示を伝達する、予約ビットまたは他の「ネクストエクステンションヘッダタイプ」または「ＰＤＵタイプ」の値など、データフィールドの他の組み合わせを使用することができる。それに加えて、ＰＤＣＰか、または既存のヘッダ値範囲またはパラメータフィールドまたは予約ビットの定義されていない値を利用するのと同じ原理を利用するＧＴＰ−Ｕ  ＰＤＵの、どちらかを介して破棄の指示を伝達する、代替実施形態がある。
【００３３】
図４は、特定の実施形態による、無線ネットワークの一例である。本明細書に記載する主題は、任意の適切な構成要素を使用する任意の適切なタイプのシステムで実現されてもよいが、本明細書に開示する実施形態は、図４に示される例示の無線ネットワークなどの無線ネットワークに関連して記載する。単純にするため、図４の無線ネットワークは、ネットワーク４０６、ネットワークノード４６０および４６０ｂ、ならびにＷＤ  ４１０、４１０ｂ、および４１０ｃのみを示している。実際上、無線ネットワークは、無線デバイス間の通信、あるいは無線デバイスと地上電話、サービスプロバイダ、または他の任意のネットワークノードもしくはエンドデバイスなど、別の通信デバイスとの間の通信に対応するのに適した、任意の追加の要素を更に含んでもよい。図示される構成要素のうち、ネットワークノード４６０およびＷＤ  ４１０が更に詳細に図示されている。特定の実施形態では、ネットワークノード  ４６０は図１に開示されるＤＵであってもよい。いくつかの実施形態では、ネットワークノード４６０は図７〜１３および１５に更に図示される基地局である。無線ネットワークは、通信および他のタイプのサービスを１つまたは複数の無線デバイスに提供して、無線ネットワークによってもしくは無線ネットワークを介して提供されるサービスに関する、無線デバイスのアクセスおよび／または使用を容易にしてもよい。
【００３４】
無線ネットワークは、任意のタイプの通信、電気通信、データ、移動体、および／または無線ネットワーク、あるいは他の同様のタイプのシステムを備えてもよく、ならびに／あるいはそれらとインターフェース接続してもよい。いくつかの実施形態では、無線ネットワークは、特定の規格、または他のタイプの規定の規則もしくは手順にしたがって動作するように構成されてもよい。したがって、無線ネットワークの特定の実施形態は、グローバル移動体通信システム（ＧＳＭ）、Ｕｎｉｖｅｒｓａｌ  Ｍｏｂｌｅ  Ｔｅｌｅｃｏｍｍｕｎｉｃａｔｉｏｎ  Ｓｙｓｔｅｍ（ＵＭＴＳ）、Ｌｏｎｇ−Ｔｅｒｍ  Ｅｖｏｌｕｔｉｏｎ（ＬＴＥ）、および／または他の適切な２Ｇ、３Ｇ、４Ｇ、もしくは５Ｇ規格、ＩＥＥＥ  ８０２．１１規格などの無線ローカルエリアネットワーク（ＷＬＡＮ）規格、ならびに／あるいは、ワールドワイド・インターオペラビリティ・フォー・マイクロウェーブ・アクセス（ＷｉＭａｘ）、ブルートゥース、Ｚ波、および／またはジグビー規格などの他の任意の適切な無線通信規格などの、通信規格を実現してもよい。
【００３５】
ネットワーク４０６は、１つもしくは複数のバックホールネットワーク、コアネットワーク、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間で通信できるようにする他のネットワークを含んでもよい。
【００３６】
ネットワークノード４６０およびＷＤ  ４１０は、更に詳細に後述する様々な構成要素を備える。これらの構成要素は、無線ネットワークにおける無線接続を提供するなど、ネットワークノードおよび／または無線デバイスの機能性を提供するために共に働く。異なる実施形態では、無線ネットワークは、任意の数の有線もしくは無線ネットワーク、ネットワークノード、基地局、コントローラ、無線デバイス、中継局、ならびに／あるいは、有線または無線接続のどちらかを介するデータおよび／または信号の通信を容易にするかまたはそれに関与することができる、他の任意の構成要素またはシステムを含んでもよい。
【００３７】
本明細書で使用するとき、ネットワークノードは、無線デバイスへの無線アクセスを可能にする、および／または無線アクセスを提供する、ならびに／あるいは無線ネットワークにおける他の機能（例えば、管理）を実施するために、無線通信ネットワーク内のネットワークノードまたもしくは他の機器と、直接または間接的に通信することができる、通信するように構成された、通信するように配置された、ならびに／または通信するように動作可能である、機器を指す。ネットワークノードの例としては、アクセスポイント（ＡＰ）（例えば、無線アクセスポイント）、基地局（ＢＳ）（例えば、無線基地局、ノードＢ、進化型ノードＢ（ｅＮＢ）、およびＮＲノードＢ（ｇＮＢ））が挙げられるが、それらに限定されない。基地局は、それらが提供するカバレッジの量（または換言すれば、それらの送信電力レベル）に基づいて分類されてもよく、そのため、フェムト基地局、ピコ基地局、マイクロ基地局、またはマクロ基地局とも呼ばれることがある。基地局は、中継を制御する中継ノードまたは中継ドナーノードであってもよい。ネットワークノードはまた、中央デジタルユニット、および／またはリモート無線ヘッド（ＲＲＨ）と呼ばれることがあるリモート無線ユニット（ＲＲＵ）など、分散無線基地局の１つもしくは複数（または全て）の部分を含んでもよい。かかるリモート無線ユニットは、アンテナ統合無線として、アンテナと統合されてもされなくてもよい。分散無線基地局の部分はまた、分散アンテナシステム（ＤＡＳ）のノードと呼ばれることもある。ネットワークノードの更なる他の例としては、ＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、ベーストランシーバ基地局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、ポジショニングノード（例えば、Ｅ−ＳＭＬＣ）、ならびに／あるいはＭＤＴが挙げられる。別の例として、ネットワークノードは、更に詳細に後述するような仮想ネットワークノードであってもよい。しかしながら、より一般的には、ネットワークノードは、無線デバイスが無線ネットワークにアクセスできるようにすること、もしくは無線デバイスに無線ネットワークへのアクセスを提供すること、および／または無線ネットワークにアクセスしている無線デバイスに何らかのサービスを提供することが、可能である、そのように構成されている、そのように配置されている、ならびに／またはそれを可能にするように動作可能である、任意の適切なデバイス（またはデバイス群）を表してもよい。
【００３８】
図４では、ネットワークノード４６０は、処理回路構成４７０と、デバイス可読媒体４８０と、インターフェース４９０と、補助機器４８４と、電源４８６と、電力回路構成４８７と、アンテナ４６２とを含む。図４の例示の無線ネットワークに示されるネットワークノード４６０は、ハードウェア構成要素の図示される組み合わせを含むデバイスを表すことがあるが、他の実施形態は、構成要素の異なる組み合わせを含むネットワークノードを備えてもよい。ネットワークノードは、本明細書に開示するタスク、特徴、機能、および方法を実施するのに必要な、ハードウェアおよび／またはソフトウェアの任意の適切な組み合わせを含むことが理解されるべきである。更に、ネットワークノード４６０の構成要素は、より大きいボックス内に位置するかまたは複数のボックス内に入れ子状になった、単独のボックスとして示されているが、実際上、ネットワークノードは、単一の図示される構成要素を構成する複数の異なる物理的構成要素を含んでもよい（例えば、デバイス可読媒体４８０は、複数の別個のハードドライブならびに複数のＲＡＭモジュールを備えてもよい）。
【００３９】
同様に、ネットワークノード４６０は、各々がそれぞれ自身の構成要素を有してもよい、複数の物理的に別個の構成要素（例えば、ノードＢコンポーネントおよびＲＮＣコンポーネント、またはＢＴＳコンポーネントおよびＢＳＣコンポーネントなど）から成ってもよい。ネットワークノード４６０が複数の別個の構成要素（例えば、ＢＴＳおよびＢＳＣコンポーネント）を備える特定のシナリオでは、別個の構成要素の１つまたは複数が、いくつかのネットワークノードの間で共有されてもよい。例えば、単一のＲＮＣが複数のノードＢを制御してもよい。かかるシナリオでは、ノードＢおよびＲＮＣの固有の各対が、場合によっては、単一の別個のネットワークノードと見なされてもよい。いくつかの実施形態では、ネットワークノード４６０は、複数の無線アクセス技術（ＲＡＴ）に対応するように構成されてもよい。かかる実施形態では、いくつかの構成要素が重複してもよく（例えば、異なるＲＡＴに対して別個のデバイス可読媒体４８０）、いくつかの構成要素は再使用されてもよい〈例えば、同じアンテナ４６２がＲＡＴによって共有されてもよい）。いくつかの実施形態では、ネットワークノード４６０は、図１および図１４に関して記載されるＣＵの機能を実施してもよい。ネットワークノード４６０はまた、例えば、ＧＳＭ、ＷＣＤＭＡ、ＬＴＥ、ＮＲ、ＷｉＦｉ、またはブルートゥース無線技術など、ネットワークノード４６０に統合された異なる無線技術に関する複数組の様々な図示される構成要素を含んでもよい。これらの無線技術は、同じまたは異なるチップもしくはチップセット、およびネットワークノード４６０内の他の構成要素に統合されてもよい。
【００４０】
処理回路構成４７０は、ネットワークノードによって提供されるものとして本明細書に記載される、任意の決定、計算、または類似の動作（例えば、特定の取得動作）を実施するように構成される。処理回路構成４７０によって実施されるこれらの動作は、例えば、取得された情報を他の情報に変換すること、取得された情報または変換された情報をネットワークノードに格納された情報と比較すること、ならびに／あるいは取得された情報または変換された情報に基づいて１つもしくは複数の動作を実施することによって、処理回路構成４７０によって取得される情報を処理すること、ならびに前記処理の結果として決定を行うことを含んでもよい。
【００４１】
処理回路構成４７０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、あるいは単独で、または他のネットワークノード４６０の構成要素（デバイス可読媒体４８０、ネットワークノード４６０の機能性など）と併せて提供するように動作可能な、ハードウェア、ソフトウェア、および／または符号化論理の組み合わせのうち、１つもしくは複数のものの組み合わせを備えてもよい。例えば、処理回路構成４７０は、デバイス可読媒体４８０に、または処理回路構成４７０内のメモリに格納された命令を実行してもよい。かかる機能性は、本明細書で考察する様々な無線の特徴、機能、または利益のいずれかを提供することを含んでもよい。いくつかの実施形態では、処理回路構成４７０はシステムオンチップ（ＳＯＣ）を含んでもよい。
【００４２】
いくつかの実施形態では、処理回路構成４７０は、無線周波数（ＲＦ）送受信機回路構成４７２およびベースバンド処理回路構成４７４の１つまたは複数を含んでもよい。いくつかの実施形態では、無線周波数（ＲＦ）送受信機回路構成４７２およびベースバンド処理回路構成４７４は、別個のチップ（もしくはチップセット）、ボード、または無線ユニットおよびデジタルユニットなどのユニット上にあってもよい。代替実施形態では、ＲＦ送受信機回路構成４７２およびベースバンド処理回路構成４７４の一部または全ては、同じチップもしくはチップセット、ボード、またはユニットの上にあってもよい。
【００４３】
特定の実施形態では、ネットワークノード、基地局、ｅＮＢ、または他のかかるネットワークデバイスによって提供されるものとして本明細書に記載する機能性の一部または全ては、デバイス可読媒体４８０または処理回路構成４７０内のメモリに格納された命令を実行する、処理回路構成４７０によって実施されてもよい。代替実施形態では、機能性の一部または全ては、ハードワイヤード方式などで、別個のまたは離散的なデバイス可読媒体に格納された命令を実行することなく、処理回路構成４７０によって提供されてもよい。それらの実施形態のいずれかにおいて、デバイス可読記憶媒体に格納された命令を実行するか否かにかかわらず、処理回路構成４７０は、記載される機能性を実施するように構成することができる。かかる機能性によって提供される利益は、処理回路構成４７０のみに、またはネットワークノード４６０の他の構成要素に限定されず、ネットワークノード４６０全体ならびに／あるいはエンドユーザおよび無線ネットワーク全般によって享受される。
【００４４】
デバイス可読媒体４８０は、非限定的に、永続記憶装置、固体メモリ、リモート実装メモリ、磁気媒体、光学媒体、ランダムアクセスメモリ（ＲＡＭ）、読出し専用メモリ（ＲＯＭ）、大容量記憶媒体（例えば、ハードディスク）、リムーバブル記憶媒体（例えば、フラッシュドライブ、コンパクトディスク（ＣＤ）、もしくはデジタルビデオディスク（ＤＶＤ））、ならびに／または他の任意の揮発性もしくは不揮発性非一時的デバイス可読および／もしくはコンピュータ実行可能メモリデバイスを含む、処理回路構成４７０によって使用されてもよい情報、データ、および／もしくは命令を格納する、任意の形態の揮発性または不揮発性コンピュータ可読メモリを含んでもよい。デバイス可読媒体４８０は、論理、規則、コード、テーブルなどの１つもしくは複数を含むコンピュータプログラム、ソフトウェア、アプリケーションを含む、任意の適切な命令、データ、または情報、あるいは処理回路構成４７０によって実行され、ネットワークノード４６０によって利用され得る他の命令を格納してもよい。デバイス可読媒体４８０は、処理回路構成４７０によって行われる任意の計算、および／またはインターフェース４９０を介して受信される任意のデータを格納するのに使用されてもよい。いくつかの実施形態では、処理回路構成４７０およびデバイス可読記憶媒体４８０は、統合されたものと見なされてもよい。
【００４５】
インターフェース４９０は、ネットワークノード４６０、ネットワーク４０６、および／またはＷＤ  ４１０の間における、シグナリングおよび／またはデータの有線または無線通信で使用される。図示されるように、インターフェース４９０は、例えば、有線接続を通じてネットワーク４０６との間でデータを送受信する、ポート／端子４９４を備える。インターフェース４９０はまた、アンテナ４６２に、または特定の実施形態ではその一部に連結されてもよい、無線フロントエンド回路構成４９２を含む。無線フロントエンド回路構成４９２はフィルタ４９８および増幅器４９６を備える。無線フロントエンド回路構成４９２はアンテナ４６２および処理回路構成４７０に接続されてもよい。無線フロントエンド回路構成は、アンテナ４６２と処理回路構成４７０との間で通信される信号を調整するように構成されてもよい。無線フロントエンド回路構成４９２は、無線接続を介して他のネットワークノードまたはＷＤに対して送出されるべきである、デジタルデータを受信してもよい。無線フロントエンド回路構成４９２は、フィルタ４９８および／または増幅器４９６の組み合わせを使用して、デジタルデータを、適切なチャネルおよび帯域幅パラメータを有する無線信号へと変換してもよい。無線信号は次に、アンテナ４６２を介して送信されてもよい。同様に、データを受信するとき、アンテナ４６２は無線信号を収集してもよく、それらは次に、無線フロントエンド回路構成４９２によってデジタルデータへと変換される。デジタルデータは処理回路構成４７０に渡されてもよい。他の実施形態では、インターフェースは、異なる構成要素および／または構成要素の異なる組み合わせを備えてもよい。
【００４６】
特定の代替実施形態では、ネットワークノード４６０は別個の無線フロントエンド回路構成４９２を含まなくてもよく、代わりに、処理回路構成４７０は、無線フロントエンド回路構成を備えてもよく、別個の無線フロントエンド回路構成４９２なしでアンテナ４６２に接続されてもよい。同様に、いくつかの実施形態では、ＲＦ送受信機回路構成４７２の全てまたは一部はインターフェース４９０の一部と見なされてもよい。更に他の実施形態では、インターフェース４９０は、無線ユニット（図示なし）の一部として、１つもしくは複数のポートまたは端子４９４、無線フロントエンド回路構成４９２、およびＲＦ送受信機回路構成４７２を含んでもよく、インターフェース４９０は、デジタルユニット（図示なし）の一部である、ベースバンド処理回路構成４７４と通信してもよい。
【００４７】
アンテナ４６２は、無線信号を送信および／または受信するように構成された、１つもしくは複数のアンテナまたはアンテナアレイを含んでもよい。アンテナ４６２は、無線フロントエンド回路構成４９０に連結されてもよく、データおよび／または信号を無線で送受信することができる、任意のタイプのアンテナであってもよい。いくつかの実施形態では、アンテナ４６２は、例えば、２ＧＨｚ〜６６ＧＨｚの無線信号を送受信するように動作可能な、１つもしくは複数の全方向性、セクター、またはパネルアンテナを含んでもよい。全方向性アンテナは、任意の方向で無線信号を送受信するのに使用されてもよく、セクターアンテナは、特定のエリア内でデバイスから無線信号を送受信するのに使用されてもよく、パネルアンテナは、比較的直線で無線信号を送受信するのに使用される見通し線アンテナであってもよい。いくつかの例では、１つを超えるアンテナの使用はＭＩＭＯと呼ばれることがある。特定の実施形態では、アンテナ４６２は、ネットワークノード４６０とは別個であってもよく、インターフェースまたはポートを通してネットワークノード４６０に接続可能であってもよい。
【００４８】
アンテナ４６２、インターフェース４９０、および／または処理回路構成４７０は、ネットワークノードによって実施されるものとして、本明細書に記載するあらゆる受信動作および／または特定の取得動作を実施するように構成されてもよい。あらゆる情報、データ、および／または信号は、無線デバイス、別のネットワークノード、および／または他の任意のネットワーク機器から受信されてもよい。同様に、アンテナ４６２、インターフェース４９０、および／または処理回路構成４７０は、ネットワークノードによって実施されるものとして、本明細書に記載するあらゆる送信動作を実施するように構成されてもよい。あらゆる情報、データ、および／または信号は、無線デバイス、別のネットワークノード、および／または他の任意のネットワーク機器に送信されてもよい。
【００４９】
電力回路構成４８７は、電力管理回路構成を含むかまたはそれに連結されてもよく、ネットワークノード４６０の構成要素に、本明細書に記載する機能性を実施する電力を供給するように構成される。電力回路構成４８７は電源４８６から電力を受信してもよい。電源４８６および／または電力回路構成４８７は、それぞれの構成要素に適した形態で（例えば、それぞれの構成要素に必要な電圧および電流レベルで）、ネットワークノード４６０の様々な構成要素に電力を提供するように構成されてもよい。電源４８６は、回路構成４８７および／またはネットワークノード４６０に含まれるか、あるいはその外部にあってもよい。例えば、ネットワークノード４６０は、入力回路構成、または電気ケーブルなどのインターフェースを介して、外部電源（例えば、電気コンセント）に接続可能であってもよく、外部電源は電力を電力回路構成４８７に供給する。更なる例として、電源４８６は、電力回路構成４８７に接続されるかまたは統合される、電池もしくは電池パックの形態の電源を含んでもよい。電池は、外部電源が故障した場合のバックアップ電力を提供してもよい。光起電デバイスなど、他のタイプの電源も使用されてもよい。
【００５０】
ネットワークノード４６０の代替実施形態は、本明細書に記載する機能性のいずれか、および／または本明細書に記載する主題に対応するのに必要な任意の機能性を含む、ネットワークノードの機能性の特定の態様を提供することに関与してもよい、図４に示されるものを超える追加の構成要素を含んでもよい。例えば、ネットワークノード４６０は、情報をネットワークノード４６０に入力するのを可能にし、情報をネットワークノード４６０から出力するのを可能にする、ユーザインターフェース機器を含んでもよい。これは、ネットワークノード４６０に対する診断、保守、修理、および他の管理機能をユーザが実施するのを可能にしてもよい。
【００５１】
本明細書で使用するとき、無線デバイス（ＷＤ）は、ネットワークノードおよび／または他の無線デバイスと無線で通信することができる、そのように構成されている、そのように配置されている、および／またはそのように動作可能であるデバイスを指す。別段の記述がない限り、ＷＤという用語は、本明細書ではユーザ機器（ＵＥ）と交換可能に使用されてもよい。無線通信には、電磁波、電波、赤外線波、および／または無線で情報を伝達するのに適した他のタイプの信号を使用して、無線信号を送信および／または受信することが関与してもよい。いくつかの実施形態では、ＷＤは、直接的な人間の相互作用なしに情報を送信および／または受信するように構成されてもよい。例えば、ＷＤは、内部もしくは外部イベントによって起動されると、またはネットワークからの要求に応答して、所定のスケジュールでネットワークに情報を送信するように設計されてもよい。ＷＤの例としては、スマートフォン、移動電話、携帯電話、ボイスオーバーＩＰ（ＶｏＩＰ）電話、無線ローカルループ電話、デスクトップコンピュータ、携帯情報端末（ＰＤＡ）、無線カメラ、ゲームコンソールもしくはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線カスタマー構内設備（ＣＰＥ）、車載型無線端末デバイスなどが挙げられるが、それらに限定されない。ＷＤは、例えば、サイドリンク通信の３ＧＰＰ規格を実現することによるデバイス間（Ｄ２Ｄ）通信、車車間（Ｖ２Ｖ）、路車間（Ｖ２Ｉ）、車車間・路車間（Ｖ２Ｘ）に対応してもよく、この場合、Ｄ２Ｄ通信デバイスと呼ばれることがある。更に別の特定の例として、物のインターネット（ＩｏＴ）のシナリオでは、ＷＤは、監視および／または測定を実施し、かかる監視および／または測定の結果を別のＷＤおよび／またはネットワークノードに送信する、機械または他のデバイスを表してもよい。ＷＤは、この場合、３ＧＰＰの文脈ではＭＴＣデバイスと呼ばれることがある、マシンツーマシン（Ｍ２Ｍ）デバイスであってもよい。１つの特定の例として、ＷＤは、３ＧＰＰ狭帯域物のインターネット（ＮＢ−ＩｏＴ）規格を実現するＵＥであってもよい。かかるマシンまたはデバイスの特定の例は、センサ、電力計などの計量デバイス、工業用機械類、家庭用または個人用電気器具（例えば、冷蔵庫、テレビなど）、個人用ウェアラブル（例えば、時計、フィットネストラッカーなど）である。他のシナリオでは、ＷＤは、その動作状態またはその動作と関連付けられた他の機能に関して監視および／または報告することができる、車両用または他の機器を表してもよい。上述したようなＷＤは、無線接続のエンドポイントを表してもよく、その場合、デバイスは無線端末と呼ばれることがある。更に、上述したようなＷＤは移動体であってもよく、その場合、移動デバイスまたは移動端末と呼ばれることもある。
【００５２】
図示されるように、無線デバイス４１０は、アンテナ４１１、インターフェース４１４、処理回路構成４２０、デバイス可読媒体４３０、ユーザインターフェース機器４３２、補助機器４３４、電源４３６、および電力回路構成４３７を含む。ＷＤ  ４１０は、例えば、例を挙げると、ＧＳＭ、ＷＣＤＭＡ、ＬＴＥ、ＮＲ、ＷｉＦｉ、ＷｉＭＡＸ、またはブルートゥース無線技術など、ＷＤ  ４１０が対応する異なる無線技術に対して、図示される構成要素のうち１つまたは複数のものの複数組を含んでもよい。これらの無線技術は、ＷＤ  ４１０内の他の構成要素と同じもしくは異なるチップまたはチップセットに統合されてもよい。
【００５３】
アンテナ４１１は、無線信号を送信および／または受信するように構成された、１つもしくは複数のアンテナまたはアンテナアレイを含んでもよく、インターフェース４１４に接続される。特定の代替実施形態では、アンテナ４１１は、ＷＤ  ４１０とは別個であってもよく、インターフェースまたはポートを通してＷＤ  ４１０に接続可能であってもよい。アンテナ４１１、インターフェース４１４、および／または処理回路構成４２０は、ＷＤによって実施されるものとして本明細書に記載される、あらゆる受信または送信動作を実施するように構成されてもよい。あらゆる情報、データ、および／または信号は、ネットワークノードおよび／または別のＷＤから受信されてもよい。いくつかの実施形態では、無線フロントエンド回路構成および／またはアンテナ４１１は、インターフェースと見なされてもよい。
【００５４】
図示されるように、インターフェース４１４は無線フロントエンド回路構成４１２およびアンテナ４１１を備える。無線フロントエンド回路構成４１２は、１つまたは複数のフィルタ４１８および増幅器４１６を備える。無線フロントエンド回路構成４１４は、アンテナ４１１および処理回路構成４２０に接続され、アンテナ４１１と処理回路構成４２０との間で通信される信号を調整するように構成される。無線フロントエンド回路構成４１２は、アンテナ４１１に連結されるか、またはその一部であってもよい。いくつかの実施形態では、ＷＤ  ４１０は、別個の無線フロントエンド回路構成４１２を含まなくてもよく、それよりもむしろ、処理回路構成４２０は、無線フロントエンド回路構成を備えてもよく、アンテナ４１１に接続されてもよい。同様に、いくつかの実施形態では、ＲＦ送受信機回路構成４２２の全てまたは一部はインターフェース４１４の一部と見なされてもよい。無線フロントエンド回路構成４１２は、無線接続を介して他のネットワークノードまたはＷＤに対して送出されるべきである、デジタルデータを受信してもよい。無線フロントエンド回路構成４１２は、フィルタ４１８および／または増幅器４１６の組み合わせを使用して、デジタルデータを、適切なチャネルおよび帯域幅パラメータを有する無線信号へと変換してもよい。無線信号は次に、アンテナ４１１を介して送信されてもよい。同様に、データを受信するとき、アンテナ４１１は無線信号を収集してもよく、それらは次に、無線フロントエンド回路構成４１２によってデジタルデータへと変換される。デジタルデータは処理回路構成４２０に渡されてもよい。他の実施形態では、インターフェースは、異なる構成要素および／または構成要素の異なる組み合わせを備えてもよい。
【００５５】
処理回路構成４２０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、あるいは単独で、または他のＷＤ  ４１０の構成要素（デバイス可読媒体４３０、ネットワークノード４１０の機能性など）と併せて提供するように動作可能な、ハードウェア、ソフトウェア、および／または符号化論理の組み合わせのうち、１つもしくは複数のものの組み合わせを備えてもよい。かかる機能性は、本明細書で考察する様々な無線の特徴または利益のいずれかを提供することを含んでもよい。例えば、処理回路構成４２０は、デバイス可読媒体４３０に、または処理回路構成４２０内のメモリに格納された命令を実行して、本明細書に開示する機能性を提供してもよい。
【００５６】
図示されるように、処理回路構成４２０は、ＲＦ送受信機回路構成４２２、ベースバンド処理回路構成４２４、およびアプリケーション処理回路構成４２６の１つまたは複数を含む。他の実施形態では、処理回路構成は、異なる構成要素および／または構成要素の異なる組み合わせを備えてもよい。特定の実施形態では、ＷＤ  ４１０の処理回路構成４２０はＳＯＣを備えてもよい。いくつかの実施形態では、ＲＦ送受信機回路構成４２２、ベースバンド処理回路構成４２４、およびアプリケーション処理回路構成４２６は、別個のチップまたはチップセット上にあってもよい。代替実施形態では、ベースバンド処理回路構成４２４およびアプリケーション処理回路構成４２６の一部または全ては、１つのチップまたはチップセットに組み入れられてもよく、ＲＦ送受信機回路構成４２２は別個のチップまたはチップセット上にあってもよい。更なる代替実施形態では、ＲＦ送受信機回路構成４２２およびベースバンド処理回路構成４２４の一部または全てが、同じチップまたはチップセット上にあってもよく、アプリケーション処理回路構成４２６が別個のチップまたはチップセット上にあってもよい。更なる他の代替実施形態では、ＲＦ送受信機回路構成４２２、ベースバンド処理回路構成４２４、およびアプリケーション処理回路構成４２６の一部または全てが、同じチップまたはチップセットに組み入れられてもよい。いくつかの実施形態では、ＲＦ送受信機回路構成４２２はインターフェース４１４の一部であってもよい。ＲＦ送受信機回路構成４２２は、処理回路構成４２０に対するＲＦ信号を調整してもよい。
【００５７】
特定の実施形態では、ＷＤによって実施されるものとして本明細書に記載される機能性の一部または全ては、特定の実施形態ではコンピュータ可読記憶媒体であってもよい、デバイス可読媒体４３０に格納された命令を処理回路構成４２０が実行することによって提供されてもよい。代替実施形態では、機能性の一部または全ては、ハードワイヤード方式などで、別個のまたは離散的なデバイス可読記憶媒体に格納された命令を実行することなく、処理回路構成４２０によって提供されてもよい。これら特定の実施形態のいずれかにおいて、デバイス可読記憶媒体に格納された命令を実行するか否かにかかわらず、処理回路構成４２０は、記載される機能性を実施するように構成することができる。かかる機能性によって提供される利益は、処理回路構成４２０のみに、またはＷＤ  ４１０の他の構成要素に限定されず、ＷＤ  ４１０全体ならびに／あるいはエンドユーザおよび無線ネットワーク全般によって享受される。
【００５８】
処理回路構成４２０は、ＷＤによって実施されるものとして本明細書に記載される、任意の決定、計算、または類似の動作（例えば、特定の取得動作）を実施するように構成されてもよい。処理回路構成４２０によって実施されるようなこれらの動作は、例えば、取得された情報を他の情報に変換すること、取得された情報または変換された情報をＷＤ  ４１０によって格納された情報と比較すること、ならびに／あるいは取得された情報または変換された情報に基づいて１つもしくは複数の動作を実施することによって、処理回路構成４２０によって取得される情報を処理すること、ならびに前記処理の結果として決定を行うことを含んでもよい。
【００５９】
デバイス可読記憶媒体４３０は、１つもしくは複数の論理、規則、符号、テーブルなどを含む、コンピュータプログラム、ソフトウェア、アプリケーション、ならびに／あるいは処理回路構成４２０によって実行することができる他の命令を格納するように動作可能であってもよい。デバイス可読記憶媒体４３０の例としては、コンピュータメモリ（例えば、ランダムアクセスメモリ（ＲＡＭ）または読出し専用メモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、ならびに／あるいは、処理回路構成４２０によって使用されてもよい情報、データ、および／または命令を格納する、他の任意の揮発性もしくは不揮発性非一時的デバイス可読および／またはコンピュータ実行可能メモリデバイスを挙げることができる。いくつかの実施形態では、処理回路構成４２０およびデバイス可読記憶媒体４３０は、統合されたものと見なされてもよい。
【００６０】
ユーザインターフェース機器４３２は、人間のユーザがＷＤ  ４１０と相互作用することを可能にする構成要素を提供してもよい。かかる相互作用は、視覚、聴覚、触覚など、多くの形態のものであってもよい。ユーザインターフェース機器４３２は、ユーザに対する出力を生成し、ユーザがＷＤ  ４１０への入力を提供するように動作可能であってもよい。相互作用のタイプは、ＷＤ  ４１０にインストールされるユーザインターフェース機器４３２のタイプに応じて変わってもよい。例えば、ＷＤ  ４１０がスマートフォンの場合、相互作用はタッチスクリーンを介してもよく、ＷＤ  ４１０がスマートメータの場合、相互作用は、使用（例えば、使用したガロン数）を提供する画面、または（例えば、煙が検出された場合に）可聴警告音を提供するスピーカーを通すものであってもよい。ユーザインターフェース機器４３２は、入力インターフェース、デバイス、および回路、ならびに出力インターフェース、デバイス、および回路を含んでもよい。入力インターフェース４３２は、ＷＤ  ４１０への情報の入力を可能にするように構成され、処理回路構成４２０に接続されて、処理回路構成４２０が入力情報を処理するのを可能にする。ユーザインターフェース機器４３２は、例えば、マイクロフォン、近接センサもしくは他のセンサ、キー／ボタン、タッチディスプレイ、１つもしくは複数のカメラ、ＵＳＢポート、または他の入力回路構成を含んでもよい。ユーザインターフェース機器４３２はまた、ＷＤ  ４１０からの情報の出力を可能にし、処理回路構成４２０が情報をＷＤ  ４１０から出力するのを可能にするように構成される。ユーザインターフェース機器４３２は、例えば、スピーカー、ディスプレイ、振動回路構成、ＵＳＢポート、ヘッドフォンインターフェース、または他の出力回路構成を含んでもよい。ユーザインターフェース機器４３２の１つまたは複数の入力および出力インターフェース、デバイス、および回路を使用して、ＷＤ  ４１０は、エンドユーザおよび／または無線ネットワークと通信し、それらが本明細書に記載する機能性から利益を得ることを可能にしてもよい。
【００６１】
補助機器４３４は、一般にはＷＤによって実施されないことがある、より具体的な機能性を提供するように動作可能である。これは、様々な目的の測定を行う専用センサ、有線通信などの追加のタイプの通信のためのインターフェースなどを含んでもよい。補助機器４３４を含むこと、またその構成要素のタイプは、実施形態および／またはシナリオに応じて異なってもよい。
【００６２】
電源４３６は、いくつかの実施形態では、電池または電池パックの形態のものであってもよい。外部電源（例えば、電気コンセント）、光起電デバイス、またはパワーセルなど、他のタイプの電源も使用されてもよい。ＷＤ  ４１０は、本明細書に記載または指示される任意の機能性を実施するのに電源４３６からの電力を必要とするＷＤ  ４１０の様々な部分に、電源４３６から電力を届ける、電力回路構成４３７を更に備えてもよい。電力回路構成４３７は、特定の実施形態では、電力管理回路構成を含んでもよい。電力回路構成４３７は、それに加えてまたはその代わりに、外部電源から電力を受信するように動作可能であってもよく、その場合、ＷＤ  ４１０は、入力回路構成、または電力ケーブルなどのインターフェースを介して、外部電源（電気コンセントなど）に接続可能であってもよい。電力回路構成４３７はまた、特定の実施形態では、外部電源から電源４３６に電力を届けるように動作可能であってもよい。これは、例えば、電源４３６を充電するものであってもよい。電力回路構成４３７は、電源４３６からの電力に対して任意のフォーマット化、変換、または他の修正を実施して、電力が供給されるＷＤ  ４１０のそれぞれの構成要素に適した電力にしてもよい。
【００６３】
図５は、本明細書に記載する様々な態様による、ＵＥの一実施形態を示している。本明細書で使用するとき、ユーザ機器、即ちＵＥは、関連デバイスを所有および／または操作する人間のユーザという意味では、必ずしもユーザを有さなくてもよい。代わりに、ＵＥは、人間のユーザに販売するか人間のユーザによって操作されることが意図されるが、特定の人間のユーザと関連付けられないことがある、または最初は関連付けられないことがあるデバイスを表してもよい（例えば、スマートスプリンクラーコントローラ）。あるいは、ＵＥは、エンドユーザに販売するかエンドユーザによって操作されることは意図されないが、ユーザと関連付けられるかまたはユーザの利益のために操作されてもよいデバイスを表してもよい（例えば、スマート電力計）。ＵＥ  ５２００は、ＮＢ−ＩｏＴ  ＵＥ、マシンタイプ通信（ＭＴＣ）ＵＥ、および／または拡張型ＭＴＣ（ｅＭＴＣ）ＵＥを含む、第３世代パートナーシッププロジェクト（３ＧＰＰ）によって特定される任意のＵＥであってもよい。図５に示されるようなＵＥ  ５００は、３ＧＰＰのＧＳＭ、ＵＭＴＳ、ＬＴＥ、および／または５Ｇ規格など、第３世代パートナーシッププロジェクト（３ＧＰＰ）によって普及される１つまたは複数の通信規格にしたがった通信向けに構成されたＷＤの一例である。上述したように、ＷＤおよびＵＥという用語は交換可能に使用されてもよい。したがって、図５はＵＥであるが、本明細書で考察する構成要素はＷＤに等しく適用可能であり、その逆もまた真である。
【００６４】
図５では、ＵＥ  ５００は、入出力インターフェース５０５、無線周波数（ＲＦ）インターフェース５０９、ネットワーク接続インターフェース５１１、メモリ５１５（ランダムアクセスメモリ（ＲＡＭ）５１７、読出し専用メモリ（ＲＯＭ）５１９、および記憶媒体５２１などを含む）、通信サブシステム５３１、電源５３３、および／または他の任意の構成要素、あるいはそれらの任意の組み合わせに動作可能に連結された、処理回路構成５０１を含む。記憶媒体５２１は、オペレーティングシステム５２３、アプリケーションプログラム５２５、およびデータ５２７を含む。他の実施形態では、記憶媒体５２１は他の類似のタイプの情報を含んでもよい。特定のＵＥは、図５に示される構成要素の全て、または構成要素のサブセットのみを利用してもよい。構成要素間の統合レベルはＵＥごとに異なってもよい。更に、特定のＵＥは、複数のプロセッサ、メモリ、送受信機、送信機、受信機など、構成要素の複数の例を含んでもよい。
【００６５】
図５では、処理回路構成５０１は、コンピュータ命令およびデータを処理するように構成されてもよい。処理回路構成５０１は、１つもしくは複数のハードウェア実装状態機械（例えば、離散的な論理、ＦＰＧＡ、ＡＳＩＣなど）、適切なファームウェアを伴うプログラマブル論理、１つもしくは複数の格納されたプログラム、適切なソフトウェアを伴うマイクロプロセッサもしくはデジタル信号プロセッサ（ＤＳＰ）などの汎用プロセッサ、または上記のものの任意の組み合わせなど、機械可読コンピュータプログラムとしてメモリに格納された機械命令を実行するように動作可能な、任意の連続状態機械を実現するように構成されてもよい。例えば、処理回路構成５０１は２つの中央処理装置（ＣＰＵ）を含んでもよい。データは、コンピュータが使用するのに適した形態の情報であってもよい。
【００６６】
図示される実施形態では、入出力インターフェース５０５は、入力デバイス、出力デバイス、または入出力デバイスに対する通信インターフェースを提供するように構成されてもよい。ＵＥ  ５００は、入出力インターフェース５０５を介して出力デバイスを使用するように構成されてもよい。出力デバイスは、入力デバイスと同じタイプのインターフェースポートを使用してもよい。例えば、ＵＥ  ５００に対する入出力を提供するのに、ＵＳＢポートが使用されてもよい。出力デバイスは、スピーカー、サウンドカード、ビデオカード、ディスプレイ、モニタ、プリンタ、アクチュエータ、エミッタ、スマートカード、別の出力デバイス、またはそれらの任意の組み合わせであってもよい。ＵＥ  ５００は、入出力インターフェース５０５を介して入力デバイスを使用して、ユーザがＵＥ  ５００への情報を捕捉することを可能にするように構成されてもよい。入力デバイスは、タッチセンサ式または存在センサ式ディスプレイ、カメラ（例えば、デジタルカメラ、デジタルビデオカメラ、ウェブカメラなど）、マイクロフォン、センサ、マウス、トラックボール、指向性パッド、トラックパッド、スクロールホイール、スマートカードなどを含んでもよい。存在センサ式ディスプレイは、ユーザからの入力を感知する、容量性または抵抗性タッチセンサを含んでもよい。センサは、例えば、加速度計、ジャイロスコープ、傾きセンサ、力センサ、磁力計、光学センサ、近接センサ、別の同様のセンサ、またはそれらの任意の組み合わせであってもよい。例えば、入力デバイスは、加速度計、磁力計、デジタルカメラ、マイクロフォン、および光学センサであってもよい。
【００６７】
図５では、ＲＦインターフェース５０９は、通信インターフェースを、送信機、受信機、およびアンテナなどのＲＦ構成要素に提供するように構成されてもよい。ネットワーク接続インターフェース５１１は、通信インターフェースをネットワーク６４３ａに提供するように構成されてもよい。ネットワーク６４３ａは、ローカルエリアネットワーク（ＬＡＮ）、広域ネットワーク（ＷＡＮ）、コンピュータネットワーク、無線ネットワーク、電気通信ネットワーク、他の類似のネットワーク、またはそれらの任意の組み合わせなど、有線および／または無線ネットワークを包含してもよい。例えば、ネットワーク６４３ａはＷｉＦｉネットワークを含んでもよい。ネットワーク接続インターフェース５１１は、イーサネット、ＴＣＰ／ＩＰ、ＳＯＮＥＴ、ＡＴＭなど、１つまたは複数の通信プロトコルにしたがって、通信ネットワークを通じて１つもしくは複数の他のデバイスと通信するのに使用される、受信機および送信機インターフェースを含むように構成されてもよい。ネットワーク接続インターフェース５１１は、通信ネットワークリンク（例えば、光学、電気など）に適切な受信機および送信機の機能性を実現してもよい。送信機および受信機機能は、回路構成要素、ソフトウェア、もしくはファームウェアを共有してもよく、あるいは別個に実現されてもよい。
【００６８】
ＲＡＭ  ５１７は、バス５０２を介して処理回路構成５０１にインターフェース接続して、オペレーティングシステム、アプリケーションプログラム、およびデバイスドライバなどのソフトウェアプログラムを実行する間、データまたはコンピュータ命令を格納またはキャッシングするように構成されてもよい。ＲＯＭ  ５１９は、コンピュータ命令またはデータを処理回路構成５０１に提供するように構成されてもよい。例えば、ＲＯＭ  ５１９は、基本的入出力（Ｉ／Ｏ）、起動、または不揮発性メモリに格納されたキーボードからのキーストロークの受信など、基本的なシステム機能に対する不変の低レベルシステムコードまたはデータを格納するように構成されてもよい。記憶媒体５２１は、ＲＡＭ、ＲＯＭ、プログラマブル読出し専用メモリ（ＰＲＯＭ）、消去可能プログラマブル読出し専用メモリ（ＥＰＲＯＭ）、電気的消去可能プログラマブル読出し専用メモリ（ＥＥＰＲＯＭ）、磁気ディスク、光学ディスク、フロッピーディスク、ハードディスク、取外し可能カートリッジ、またはフラッシュドライブなどのメモリを含むように構成されてもよい。一例では、記憶媒体５２１は、オペレーティングシステム５２３、ウェブブラウザアプリケーションなどのアプリケーションプログラム５２５、ウィジェットもしくはガジェットエンジンまたは別のアプリケーション、およびデータファイル５２７を含むように構成されてもよい。記憶媒体５２１は、ＵＥ  ５００が使用するため、多種多様の様々なオペレーティングシステムまたはオペレーティングシステムの組み合わせのいずれかを格納してもよい。
【００６９】
記憶媒体５２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光学ディスクドライブ、内部ハードディスクドライブ、ブルーレイ光学ディスクドライブ、ホログラフィックデジタルデータストーレージ（ＨＤＤＳ）光学ディスクドライブ、外部ミニデュアルインラインメモリモジュール（ＤＩＭＭ），同期式動的ランダムアクセスメモリ（ＳＤＲＡＭ）、外部マイクロＤＩＭＭ  ＳＤＲＡＭ、スマートカードメモリ（加入者識別モジュールもしくはリムーバブルユーザ識別（ＳＩＭ／ＲＵＩＭ）モジュール）、他のメモリ、またはそれらの任意の組み合わせなど、多数の物理的ドライブユニットを含むように構成されてもよい。記憶媒体５２１によって、ＵＥ  ５００が、一時的もしくは非一時的メモリ媒体に格納された、コンピュータ実行可能命令、アプリケーションプログラムなどにアクセスするか、データをオフロードするか、またはデータをアップロードすることが可能になってもよい。通信システムを利用するものなどの製品は、デバイス可読媒体を含んでもよい、記憶媒体５２１の形で有形的に具体化されてもよい。
【００７０】
図５では、処理回路構成５０１は、通信サブシステム５３１を使用してネットワーク５４３ｂと通信するように構成されてもよい。ネットワーク６４３ａおよびネットワーク５４３ｂは、同じネットワークまたは異なるネットワークであってもよい。通信サブシステム５３１は、ネットワーク５４３ｂと通信するのに使用される１つまたは複数の送受信機を含むように構成されてもよい。例えば、通信サブシステム５３１は、ＩＥＥＥ  ８０２．５、ＣＤＭＡ、ＷＣＤＭＡ、ＧＳＭ、ＬＴＥ、ＵＴＲＡＮ、ＷｉＭａｘなどの１つまたは複数の通信プロトコルにしたがって、別のＷＤ、ＵＥ、または無線アクセスネットワーク（ＲＡＮ）の基地局など、無線通信することができる別のデバイスの１つまたは複数のリモート送受信機と通信するのに使用される、１つまたは複数の送受信機を含むように構成されてもよい。各送受信機は、ＲＡＮリンクに適した送信機または受信機の機能性（例えば、周波数割当てなど）をそれぞれ実現する、送信機５３３および／または受信機５３５を含んでもよい。更に、各送受信機の送信機５３３および受信機５３５は、回路構成要素、ソフトウェア、もしくはファームウェアを共有してもよく、あるいは別個に実現されてもよい。
【００７１】
図示される実施形態では、通信サブシステム５３１の通信機能は、データ通信、音声通信、マルチメディア通信、ブルートゥースなどの近距離通信、近接場通信、位置を決定するのに全地球測位システム（ＧＰＳ）を使用するものなどの位置依存型通信、別の類似の通信機能、またはそれらの任意の組み合わせを含んでもよい。例えば、通信サブシステム５３１は、セルラー通信、ＷｉＦｉ通信、ブルートゥース通信、およびＧＰＳ通信を含んでもよい。ネットワーク５４３ｂは、ローカルエリアネットワーク（ＬＡＮ）、広域ネットワーク（ＷＡＮ）、コンピュータネットワーク、無線ネットワーク、電気通信ネットワーク、別の類似のネットワーク、またはそれらの任意の組み合わせなど、有線および／または無線ネットワークを包含してもよい。例えば、ネットワーク５４３ｂは、セルラーネットワーク、ＷｉＦｉネットワーク、および／または近接場ネットワークであってもよい。電源５１３は、交流（ＡＣ）または直流（ＤＣ）電力をＵＥ  ５００の構成要素に提供するように構成されてもよい。
【００７２】
本明細書に記載する特徴、利益、および／または機能は、ＵＥ  ５００の構成要素の１つで実現されてもよく、またはＵＥ  ５００の複数の構成要素にわたって分割されてもよい。更に、本明細書に記載する特徴、利益、および／または機能は、ハードウェア、ソフトウェア、またはファームウェアの任意の組み合わせで実現されてもよい。一例では、通信サブシステム５３１は、本明細書に記載する構成要素のいずれかを含むように構成されてもよい。更に、処理回路構成５０１は、バス５０２を通じてかかる構成要素のいずれかと通信するように構成されてもよい。別の例では、かかる構成要素のいずれかは、処理回路構成５０１によって実行されると、本明細書に記載される対応する機能を実施する、メモリに格納されたプログラム命令によって表されてもよい。別の例では、かかる構成要素のいずれかの機能性は、処理回路構成５０１と通信サブシステム５３１との間で分割されてもよい。別の例では、かかる構成要素のいずれかの非コンピュータ集約的機能は、ソフトウェアまたはファームウェアの形で実現されてもよく、コンピュータ集約的機能はハードウェアの形で実現されてもよい。
【００７３】
図６は、特定の実施形態による、仮想化環境の一例を示している。図６は、いくつかの実施形態によって実現される機能が仮想化されてもよい、仮想化環境６００を示す概略ブロック図である。この文脈では、仮想化とは、ハードウェアプラットフォーム、記憶デバイス、およびネットワーキングリソースを仮想化することを含んでもよい、装置またはデバイスを仮想化したものを作成することを意味する。本明細書で使用するとき、仮想化は、ノード（例えば、仮想化基地局もしくは仮想化無線アクセスノード）、あるいはデバイス（例えば、ＵＥ、無線デバイス、もしくは他の任意のタイプの通信デバイス）またはその構成要素に適用することができ、機能性の少なくとも一部分が（例えば、１つまたは複数のネットワークにおいて１つまたは複数の物理的処理ノードで実行する、１つもしくは複数のアプリケーション、コンポーネント、機能、仮想機械、またはコンテナを介して）１つまたは複数の仮想構成要素として実現される実現例に関する。
【００７４】
いくつかの実施形態では、本明細書に記載する機能の一部または全ては、１つまたは複数のハードウェアノード６３０がホストする１つまたは複数の仮想環境６００において実現される、１つまたは複数の仮想機械によって実行される仮想構成要素として実現されてもよい。更に、仮想ノードが無線アクセスノードではなく、無線接続性（例えば、コアネットワークノード）を要しない実施形態では、ネットワークノードは全体的に仮想化されてもよい。
【００７５】
機能は、本明細書に開示する実施形態のうちいくつかの特徴、機能、および／または利益の一部を実現するように動作する、１つまたは複数のアプリケーション６２０（あるいは、ソフトウェアインスタンス、仮想アプライアンス、ネットワーク機能、仮想ノード、仮想ネットワーク機能などと呼ばれることがある）によって実現されてもよい。アプリケーション６２０は、処理回路構成６６０およびメモリ６９０を備えるハードウェア６３０を提供する仮想化環境６００で稼動する。メモリ６９０は、処理回路構成６６０によって実行可能な命令６９５を含み、それによってアプリケーション６２０は、本明細書に開示する特徴、利益、および／または機能の１つもしくは複数を提供するように動作する。
【００７６】
仮想化環境６００は、商用オフザシェルフ（ＣＯＴＳ）プロセッサ、専用特定用途向け集積回路（ＡＳＩＣ）、あるいはデジタルもしくはアナログハードウェア構成要素または専用プロセッサを含む他の任意のタイプの処理回路構成であってもよい、１つもしくは複数のプロセッサまたは処理回路構成６６０のセットを備える、汎用または専用ネットワークハードウェアデバイス６３０を備える。各ハードウェアデバイスは、処理回路構成６６０によって実行される命令６９５またはソフトウェアを一時的に格納する非永続的メモリであってもよい、メモリ６９０−１を備えてもよい。各ハードウェアデバイスは、物理的ネットワークインターフェース６８０を含む、ネットワークインターフェースカードとしても知られる、１つまたは複数のネットワークインターフェースコントローラ（ＮＩＣ）６７０を備えてもよい。各ハードウェアデバイスはまた、処理回路構成６６０によって実行可能なソフトウェア６９５および／または命令が格納された、非一時的な永続的機械可読記憶媒体６９０−２を含んでもよい。ソフトウェア６９５は、１つまたは複数の仮想化レイヤ６５０（ハイパーバイザーとも呼ばれる）をインスタンス化するソフトウェア、仮想機械６４０を実行するソフトウェア、ならびに本明細書に記載するいくつかの実施形態に関連して記載される機能、特徴、および／または利益を実行することを可能にするソフトウェアを含む、任意のタイプのソフトウェアを含んでもよい。
【００７７】
仮想機械６４０は、仮想処理、仮想メモリ、仮想ネットワーキングまたはインターフェース、および仮想記憶装置を含み、対応する仮想化レイヤ６５０またはハイパーバイザーによって稼動してもよい。仮想アプライアンス６２０のインスタンスの異なる実施形態は、仮想機械６４０の１つまたは複数で実現されてもよく、実現は異なる形で行われてもよい。
【００７８】
動作中、処理回路構成６６０は、場合によっては仮想機械モニタ（ＶＭＭ）と呼ばれることがある、ハイパーバイザーまたは仮想化レイヤ６５０をインスタンス化するソフトウェア６９５を実行する。仮想化レイヤ６５０は、仮想機械６４０に対するネットワーキングハードウェアのように見える、仮想オペレーティングプラットフォームを提供してもよい。
【００７９】
図６に示されるように、ハードウェア６３０は、一般または特定構成要素を備えた独立型ネットワークノードであってもよい。ハードウェア６３０は、アンテナ６２２５を備えてもよく、仮想化によって一部の機能を実現してもよい。あるいは、ハードウェア６３０は、多くのハードウェアノードが共に働き、中でも特にアプリケーション６２０のライフサイクル管理を監督する、管理およびオーケストレーション（ＭＡＮＯ）６１００を介して管理される、ハードウェアの（例えば、データセンタもしくはカスタマー構内設備（ＣＰＥ）における）より大きいクラスタの一部であってもよい。
【００８０】
ハードウェアの仮想化は、文脈によっては、ネットワーク機能仮想化（ＮＦＶ）と呼ばれる。ＮＦＶは、多くのネットワーク機器タイプを、業界標準の大容量サーバハードウェア、物理的スイッチ、ならびにデータセンタおよびカスタマー構内設備に位置することができる物理的記憶装置上へと統合するのに使用されてもよい。
【００８１】
ＮＦＶの文脈では、仮想機械６４０は、物理的な非仮想化機械で実行しているかのようにプログラムを走らせる、物理的機械のソフトウェア実現例であってもよい。各仮想機械６４０、およびその仮想機械を実行するハードウェア６３０の部分は、その仮想機械専用のハードウェアであり、ならびに／あるいはその仮想機械と他の仮想機械６４０とで共有されるハードウェアは、別個の仮想ネットワーク要素（ＶＮＥ）を形成する。
【００８２】
やはりＮＦＶの文脈では、仮想ネットワーク機能（ＶＮＦ）は、ハードウェアネットワーキングインフラストラクチャ６３０の最上位にある１つまたは複数の仮想機械６４０で稼動する特定のネットワーク機能の取り扱いに関与し、図６のアプリケーション６２０に相当する。
【００８３】
いくつかの実施形態では、１つまたは複数の送信機６２２０および１つまたは複数の受信機６２１０をそれぞれ含む、１つまたは複数の無線ユニット６２００は、１つまたは複数のアンテナ６２２５に結合されてもよい。無線ユニット６２００は、１つまたは複数の適切なネットワークインターフェースを介してハードウェアノード６３０と直接通信してもよく、仮想ノードに無線アクセスノードまたは基地局などの無線能力を提供する、仮想構成要素との組み合わせで使用されてもよい。
【００８４】
いくつかの実施形態では、一部のシグナリングは、ハードウェアノード６３０と無線ユニット６２００との間の通信に代わりに使用されてもよい、制御システム６２３０を使用することによって実施することができる。
【００８５】
図７は、いくつかの実施形態による、中間ネットワークを介してホストコンピュータに接続される電気通信ネットワークの一例を示している。図７を参照すると、一実施形態によれば、通信システムは、無線アクセスネットワークなどのアクセスネットワーク７１１とコアネットワーク７１４とを含む、３ＧＰＰタイプのセルラーネットワークなどの電気通信ネットワーク７１０を含む。アクセスネットワーク７１１は、対応するカバレッジエリア７１３ａ、７１３ｂ、７１３ｃをそれぞれ規定する、ＮＢ、ｅＮＢ、ｇＮＢ、または他のタイプの無線アクセスポイントなど、複数の基地局７１２ａ、７１２ｂ、７１２ｃを備える。特定の実施形態では、複数の基地局７１２ａ、７１２ｂ、７１２ｃは、図１および１５に関して記載するようなＤＵの機能性を実施してもよい。いくつかの実施形態では、複数の基地局７１２ａ、７１２ｂ、７１２ｃは、更にまたは代わりに、本明細書に記載するようなＣＵの機能性を実施してもよい。各基地局８１２ａ、７１２ｂ、７１２ｃは、有線または無線接続７１５を通じてコアネットワーク７１４に接続可能である。カバレッジエリア７１３ｃに位置する第１のＵＥ  ７９１は、対応する基地局７１２ｃに無線接続するように、またはそれによってページングされるように構成される。カバレッジエリア７１３ａのＵＥ  ７９２は、対応する基地局７１２ａに無線接続可能である。この例では複数のＵＥ  ７９１、７９２が示されているが、開示される実施形態は、単一のＵＥがカバレッジエリアにあるか、または単一のＵＥが対応する基地局７１２に接続している状況に等しく適用可能である。
【００８６】
電気通信ネットワーク７１０自体は、スタンドアロンサーバ、クラウド実装サーバ、分散サーバのハードウェアおよび／またはソフトウェアの形で、あるいはサーバファームの処理リソースとして具体化されてもよい、ホストコンピュータ７３０に接続される。ホストコンピュータ７３０は、サービスプロバイダの所有もしくは制御下にあってもよく、またはサービスプロバイダによって、もしくはサービスプロバイダに代わって操作されてもよい。電気通信ネットワーク７１０とホストコンピュータ７３０との間の接続７２１および７２２は、コアネットワーク７１４からホストコンピュータ７３０まで直接延在してもよく、または任意の中間ネットワーク７２０を介して通ってもよい。中間ネットワーク７２０は、公衆、私設、もしくはホストされたネットワークの１つ、または１つを超えるものの組み合わせであってもよく、中間ネットワーク７２０がある場合、バックボーンネットワークまたはインターネットであってもよく、中間ネットワーク７２０は、２つ以上のサブネットワーク（図示なし）を含んでもよい。
【００８７】
図７の通信システム全体は、接続されたＵＥ  ７９１、７９２とホストコンピュータ７３０との間の接続性を可能にする。接続性は、オーバーザトップ（ＯＴＴ）接続７５０として説明されてもよい。ホストコンピュータ７３０および接続されたＵＥ  ７９１、７９２は、アクセスネットワーク７１１、コアネットワーク７１４、任意の中間ネットワーク７２０、および場合によっては仲介物としての更なるインフラストラクチャ（図示なし）を使用して、ＯＴＴ接続７５０を介してデータおよび／またはシグナリングを通信するように構成される。ＯＴＴ接続７５０は、ＯＴＴ接続７５０が通っている関与する通信デバイスが、アップリンクおよびダウンリンク通信の経路指定を意識していないという意味で透過である。例えば、基地局７１２は、ホストコンピュータ７３０からのデータが接続されたＵＥ  ７９１に転送される（例えば、ハンドオーバーされる）、入ってくる通信の過去の経路指定に関して通知されなくてもよいか、または通知される必要がない。同様に、基地局７１２は、ＵＥ  ７９１からホストコンピュータ７３０に向かう、出て行くアップリンク通信の今後の経路指定を意識する必要はない。
【００８８】
図８は、いくつかの実施形態による、部分無線接続を通じて基地局を介してユーザ機器と通信しているホストコンピュータの一例を示している。次に、一実施形態による、上述のパラグラフで考察したＵＥ、基地局およびホストコンピュータの例示の実現例について、図８を参照して記載する。通信システム８００では、ホストコンピュータ８１０は、通信システム８００の異なる通信デバイスのインターフェースとの有線または無線接続を設定し維持するように構成された、通信インターフェース８１６を含むハードウェア８１５を備える。ホストコンピュータ８１０は、記憶および／または処理能力を有してもよい、処理回路構成８１８を更に備える。特に、処理回路構成８１８は、１つもしくは複数のプラグラマブルプロセッサ、特定用途向け集積回路、フィールドプログラマブルゲートアレイ、または命令を実行するように適合されたこれらの組み合わせ（図示なし）を含んでもよい。ホストコンピュータ８１０は、ホストコンピュータ８１０に格納されるかそれによってアクセス可能であり、処理回路構成８１８によって実行可能である、ソフトウェア８１１を更に備える。ソフトウェア８１１はホストアプリケーション８１２を含む。ホストアプリケーション８１２は、ＵＥ  ８３０およびホストコンピュータ８１０で終端するＯＴＴ接続８５０を介して接続するＵＥ  ８３０などのリモートユーザに、サービスを提供するように動作可能であってもよい。サービスをリモートユーザに提供する際、ホストアプリケーション８１２は、ＯＴＴ接続８５０を使用して送信されるユーザデータを提供してもよい。
【００８９】
通信システム８００は、電気通信システムに提供され、ホストコンピュータ８１０およびＵＥ  ８３０と通信できるようにするハードウェア８２５を備える、基地局８２０を更に含む。特定の実施形態では、基地局８２０は、図１および１５に示されるＤＵであってもよい。ハードウェア８２５は、通信システム８００の異なる通信デバイスのインターフェースとの有線または無線接続を設定し維持する通信インターフェース８２６、ならびに基地局８２０がサーブするカバレッジエリア（図８には図示なし）に位置するＵＥ  ８３０との少なくとも無線接続８７０を設定し維持する無線インターフェース８２７を含んでもよい。通信インターフェース８２６は、ホストコンピュータ８１０への接続８６０を容易にするように構成されてもよい。接続８６０は、直接であってもよく、または電気通信システムのコアネットワーク（図８には図示なし）、および／または電気通信システム外の１つもしくは複数の中間ネットワークを通過してもよい。図示される実施形態では、基地局８２０のハードウェア８２５は、１つもしくは複数のプログラマブルプロセッサ、特定用途向け集積回路、フィールドプログラマブルゲートアレイ、または命令を実行するように適合されたこれらの組み合わせ（図示なし）を含んでもよい、処理回路構成８２８を更に含む。別の実施形態では、基地局８２０のハードウェア８２５は、ＣＵの機能を実施する別の処理回路構成を更に含む。いくつかの実施形態では、基地局８２０はＣＵの構成要素を備えてもよい。基地局８２０は、内部に格納されるか、または外部接続を介してアクセス可能な、ソフトウェア８２１を更に有する。いくつかの実施形態による、基地局８２０の更なる説明が図１５に示される。
【００９０】
通信システム８００は、既に言及したＵＥ  ８３０を更に含む。ＵＥ  ８３０のハードウェア８３５は、ＵＥ  ８３０が現在位置しているカバレッジエリアにサーブする基地局との無線接続８７０を設定し維持するように構成された、無線インターフェース８３７を含んでもよい。ＵＥ  ８３０のハードウェア８３５は、１つもしくは複数のプログラマブルプロセッサ、特定用途向け集積回路、フィールドプログラマブルゲートアレイ、または命令を実行するように適合されたこれらの組み合わせ（図示なし）を含んでもよい、処理回路構成８３８を更に含む。ＵＥ  ８３０は、ＵＥ  ８３０に格納されるかそれによってアクセス可能であり、処理回路構成８３８によって実行可能である、ソフトウェア８３１を更に備える。ソフトウェア８３１はクライアントアプリケーション８３２を含む。クライアントアプリケーション８３２は、ホストコンピュータ８１０が対応しているＵＥ  ８３０を介して人間または人間以外のユーザにサービスを提供するように動作可能であってもよい。ホストコンピュータ８１０では、実行中のホストアプリケーション８１２は、ＵＥ  ８３０およびホストコンピュータ８１０で終端するＯＴＴ接続８５０を介して、実行中のクライアントアプリケーション８３２と通信してもよい。サービスをユーザに提供する際、クライアントアプリケーション８３２は、要求データをホストアプリケーション８１２から受信し、要求データに応答してユーザデータを提供してもよい。ＯＴＴ接続８５０は、要求データおよびユーザデータの両方を転送してもよい。クライアントアプリケーション８３２は、ユーザと相互作用して、提供するユーザデータを生成してもよい。
【００９１】
図８に示されるホストコンピュータ８１０、基地局８２０、およびＵＥ  ８３０はそれぞれ、図７のホストコンピュータ７３０、基地局７１２ａ、７１２ｂ、７１２ｃの１つ、およびＵＥ  ７９１、７９２の１つと同様または同一であってもよいことが注目される。つまり、これらのエンティティの内部仕事は図８に示されるようなものであってもよく、また独立して、周囲のネットワークトポロジーは図７のものであってもよい。
【００９２】
図８では、ＯＴＴ接続８５０は、仲介デバイスおよびそれらのデバイスを介したメッセージの正確な経路指定に明示的に言及することなく、基地局８２０を介したホストコンピュータ８１０とＵＥ  ８３０との間の通信を示すため、抽象的に描かれている。ネットワークインフラストラクチャは、ＵＥ  ８３０から、またはホストコンピュータ８１０を動作させるサービスプロバイダから、または両方から隠れるように構成されてもよい、経路指定を決定してもよい。ＯＴＴ接続８５０がアクティブである間、ネットワークインフラストラクチャは更に、（例えば、ネットワークのロードバランシングの考慮または再構成に基づいて）経路指定を動的に変更する決定を行ってもよい。
【００９３】
ＵＥ  ８３０と基地局８２０との間の無線接続８７０は、本開示を通して記載される実施形態の教示にしたがっている。様々な実施形態の１つまたは複数は、無線接続８７０が最後のセグメントを形成するＯＴＴ接続８５０を使用してＵＥ  ８３０に提供される、ＯＴＴサービスの性能を改善する。より正確には、これらの実施形態の教示は、送信バッファにおける冗長データの処理を改善し、それによって、無線リソース使用の効率改善（例えば、冗長データを送信しない）、ならびに新しいデータの受信における遅延の低減（例えば、バッファの冗長データを除去することによって、新しいデータをより早く送信することができる）などの利益を提供してもよい。
【００９４】
測定手順は、データ転送率、レイテンシ、および１つまたは複数の実施形態を改善する際の他の因子を監視する目的のために提供されてもよい。更に、測定結果の変動に応答して、ホストコンピュータ８１０とＵＥ  ８３０との間でＯＴＴ接続８５０を再構成する任意のネットワーク機能性があってもよい。測定手順、および／またはＯＴＴ接続８５０を再構成するネットワーク機能性は、ホストコンピュータ８１０のソフトウェア８１１およびハードウェア８１５の形、またはＵＥ  ８３０のソフトウェア８３１およびハードウェア８３５の形で、または両方で実現されてもよい。実施形態では、センサ（図示なし）は、ＯＴＴ接続８５０が通過する通信デバイスにおいて、またはそれと関連して展開されてもよく、センサは、上記に例示した監視量の値を供給することによって、または監視量を計算もしくは推定するのにソフトウェア８１１、８３１が用いる他の物理的量の値を供給することによって、測定手順に関与してもよい。ＯＴＴ接続８５０の再構成は、メッセージ形式、再送信設定、好ましい経路指定などを含んでもよく、再構成は、基地局８２０に必ずしも影響を及ぼさなくてもよく、基地局８２０にとって未知または認識不能であってもよい。かかる手順および機能性は、当該分野において知られており実践されていることがある。特定の実施形態では、測定には、ホストコンピュータ８１０がスループット、伝播時間、レイテンシなどを測定するのを容易にする、所有ＵＥシグナリングが関与してもよい。測定は、伝播時間、エラーなどを監視している状態のＯＴＴ接続８５０を使用して、ソフトウェア８１１および８３１によってメッセージが、特に空または「ダミー」メッセージが送信されるという点で実現されてもよい。
【００９５】
図９は、特定の実施形態による、ホストコンピュータ、基地局、およびユーザ機器を含む通信システムにおいて実現される方法の一例を示している。より具体的には、図９は、一実施形態による、通信システムにおいて実現される方法を示すフローチャートである。通信システムは、図７および８を参照して記載したものであってもよい、ホストコンピュータ、基地局、およびＵＥを含む。本開示を簡潔にするため、図９に対する参照のみを本セクションに含める。ステップ９１０で、ホストコンピュータはユーザデータを提供する。ステップ９１０のサブステップ９１１（任意であってもよい）で、ホストコンピュータは、ホストアプリケーションを実行することによってユーザデータを提供する。ステップ９２０で、ホストコンピュータは、ユーザデータをＵＥに伝達する送信を開始する。ステップ９３０（任意であってもよい）で、基地局は、本開示全体を通して記載する実施形態の教示にしたがって、ホストコンピュータが開始した送信によって伝達されたユーザデータをＵＥに送信する。ステップ９４０（やはり任意であってもよい）で、ＵＥは、ホストコンピュータが実行したホストアプリケーションと関連付けられたクライアントアプリケーションを実行する。
【００９６】
図１０は、いくつかの実施形態による、ホストコンピュータ、基地局、およびユーザ機器を含む通信システムにおいて実現される方法の一例を示している。より具体的には、図１０は、一実施形態による、通信システムにおいて実現される方法を示すフローチャートである。通信システムは、図７および８を参照して記載したものであってもよい、ホストコンピュータ、基地局、およびＵＥを含む。本開示を簡潔にするため、図１０に対する参照のみを本セクションに含める。方法のステップ１０１０で、ホストコンピュータはユーザデータを提供する。任意のサブステップ（図示なし）で、ホストコンピュータは、ホストアプリケーションを実行することによってユーザデータを提供する。ステップ１０２０で、ホストコンピュータは、ユーザデータをＵＥに伝達する送信を開始する。本開示を通して記載される実施形態の教示にしたがって、送信は基地局を介してもよい。ステップ１０３０（任意であってもよい）で、ＵＥは送信で伝達されるユーザデータを受信する。
【００９７】
図１１は、いくつかの実施形態による、ホストコンピュータ、基地局、およびユーザ機器を含む通信システムにおいて実現される方法の別の更なる一例を示している。より具体的には、図１１は、一実施形態による、通信システムにおいて実現される方法を示すフローチャートである。通信システムは、図７および８を参照して記載したものであってもよい、ホストコンピュータ、基地局、およびＵＥを含む。本開示を簡潔にするため、図１１に対する参照のみを本セクションに含める。ステップ１１１０（任意であってもよい）で、ＵＥはホストコンピュータによって提供される入力データを受信する。それに加えて、またはその代わりに、ステップ１１２０で、ＵＥはユーザデータを提供する。ステップ１１２０のサブステップ１１２１（任意であってもよい）で、ＵＥは、クライアントアプリケーションを実行することによってユーザデータを提供する。ステップ１１１０のサブステップ１１１１（任意であってもよい）で、ＵＥは、ホストコンピュータが提供した受信入力データに反応してユーザデータを提供する、クライアントアプリケーションを実行する。ユーザデータを提供する際、実行されたクライアントアプリケーションは、ユーザから受信するユーザ入力を更に考慮してもよい。ユーザデータが提供された特定の方式にかかわらず、ＵＥは、サブステップ１１３０（任意であってもよい）で、ホストコンピュータへのユーザデータの送信を開始する。方法のステップ１１４０で、ホストコンピュータは、本開示を通して記載される実施形態の教示にしたがって、ＵＥから送信されたユーザデータを受信する。
【００９８】
図１２は、いくつかの実施形態による、ホストコンピュータ、基地局、およびユーザ機器を含む通信システムにおいて実現される方法の別の一例を示している。より具体的には、図１２は、一実施形態による、通信システムにおいて実現される方法を示すフローチャートである。通信システムは、図７および８を参照して記載したものであってもよい、ホストコンピュータ、基地局、およびＵＥを含む。本開示を簡潔にするため、図１２に対する参照のみを本セクションに含める。ステップ１２１０（任意であってもよい）で、本開示を通して記載される実施形態の教示にしたがって、基地局はユーザデータをＵＥから受信する。ステップ１２２０（任意であってもよい）で、基地局は、ホストコンピュータに対する受信したユーザデータの送信を開始する。ステップ１２３０（任意であってもよい）で、ホストコンピュータは、基地局が開始した送信で伝達されるユーザデータを受信する。
【００９９】
本明細書に開示する任意の適切なステップ、方法、特徴、機能、または利益は、１つまたは複数の仮想装置の１つまたは複数の機能的ユニットまたはモジュールによって実施されてもよい。各仮想装置は多数のこれらの機能的ユニットを備えてもよい。これらの機能的ユニットは、１つもしくは複数のマイクロプロセッサまたはマイクロコントローラを含んでもよい処理回路構成、ならびにデジタル信号プロセッサ（ＤＳＰ）、専用デジタル論理などを含んでもよい、他のデジタルハードウェアによって実現されてもよい。処理回路構成は、読出し専用メモリ（ＲＯＭ）、ランダムアクセスメモリ（ＲＡＭ）、キャッシュメモリ、フラッシュメモリドライブ、光学記憶デバイスなど、１つまたは複数のタイプのメモリを含んでもよい、メモリに格納されたプログラムコードを実行するように構成されてもよい。メモリに格納されたプログラムコードとしては、１つもしくは複数の電気通信および／またはデータ通信プロトコルを実行するプログラム命令、ならびに本明細書に記載される技術の１つもしくは複数を実施する命令が挙げられる。いくつかの実現例では、処理回路構成は、本開示の１つまたは複数の実施形態による対応する機能をそれぞれの機能的ユニットに実施させるのに使用されてもよい。
【０１００】
図１３は、特定の実施形態による、ネットワークノードにおける方法のフロー図である。方法１３００は、いくつかの実施形態では、基地局であってもよいネットワークノードがデータをバッファメモリに格納する、ステップ１３１０で始まる。いくつかの実施形態では、ネットワークノードは、図４に示されるネットワークノードであってもよい。いくつかの実施形態では、ネットワークノードは、図８および１５に示される基地局であってもよい。いくつかの実施形態では、ネットワークノードは、図１に示されるＤＵであってもよい。バッファメモリに格納されるデータは、ユーザ機器に送信されるべきものであり、第２のネットワークノードに格納された第２のデータに対して冗長である。いくつかの実施形態では、第２のネットワークノードは、図４に示されるネットワークノードであってもよい。いくつかの実施形態では、第２のネットワークノードは基地局であってもよい。いくつかの実施形態では、第２のネットワークノードは、図８および図１５に示される基地局であってもよい。いくつかの実施形態では、第２のネットワークノードは、図１に示されるＤＵであってもよい。特定の実施形態では、バッファメモリに格納されるデータは、第２のネットワークノードに格納された第２のデータに対して冗長ではない。いくつかの実施形態では、バッファメモリは複数のデータを格納するのに使用されてもよい。バッファメモリに格納されている複数のデータの各データピースは、各データピースに関連付けられた番号を有してもよい。これは、バッファメモリ内の特定のデータピースを特定するのに使用されてもよい。データピースのサイズは、実施形態および使用されるプロトコルに応じて異なってもよい。
【０１０１】
ステップ１３２０で、ネットワークノードは破棄メッセージを取得する。いくつかの実施形態では、破棄メッセージは、ネットワークノードが確認応答メッセージをＵＥから受信する前に取得される。確認応答メッセージは、一般的に、ＵＥがデータを受信したことを示すのに、ＵＥによって使用される。いくつかの例では、データに対してＵＥが確認応答メッセージを伝送しないことがあるか、または確認応答メッセージをネットワークノードに伝送しないことがあるので、ネットワークノードが確認応答メッセージを決して受信しないことがある。破棄メッセージは、第３のネットワークノードから取得されてもよい。いくつかの実施形態では、第３のネットワークノードは、図１および１６に示されるＣＵであってもよい。いくつかの実施形態では、破棄メッセージは、第２のデータがＵＥによって受信されていることの確認応答メッセージが第３のネットワークノードから受信された後に取得される。第３のネットワークノード（例えば、いくつかの実施形態ではＣＵ）から受信されるこの確認応答メッセージは、ＵＥがデータを受信したことを示すメッセージをＵＥから受信しているＤＵから受信されてもよい。確認応答メッセージはＰＤＣＰ  ＡＣＫであってもよい。破棄メッセージは、第３のネットワークノードによって伝送されるＧＰＲＳトンネリングプロトコルユーザプレーン（ＧＴＰ−Ｕ）パケットデータユニット（ＰＤＵ）を含んでもよい。ＧＴＰ−Ｕ  ＰＤＵは、ＧＴＰ−Ｕ  ＰＤＵの次の拡張ヘッダ内の指示を含んでもよい。
【０１０２】
ステップ１３３０で、ネットワークノードは、破棄メッセージに基づいてデータをバッファメモリから破棄する。データは、バッファメモリ内の他のデータと共に破棄されてもよい。破棄されるデータは、それぞれのデータピースと関連付けられた番号に基づいて特定されてもよい。いくつかの例では、ネットワークノードは、破棄メッセージの指定の番号以下のバッファメモリ内の全てのデータを破棄してもよい。つまり、バッファメモリ内のデータが１〜１０と番号付けされ（実際の番号付けは実施形態ごとに異なってもよいが、便宜上１〜１０を使用する）、破棄メッセージが、番号４以下の全てのデータが破棄されるべきであると示している場合、ネットワークノードは１、２、３、および４と番号付けされたデータを破棄してもよい。いくつかの例では、ネットワークノードは、破棄メッセージにおける破棄されるべきデータの列挙された番号に基づいて、特定のデータピースを破棄してもよい。上記例に戻ると、破棄メッセージが、２、５、および７と番号付けられたデータが破棄されるべきであると示している場合、ネットワークノードは２、５、および７と番号付けられたデータを破棄してもよい。
【０１０３】
図１４は、特定の実施形態による、ネットワークノードにおける別の方法のフロー図である。方法１４００は、ネットワークノードが送信状態フィードバックメッセージを取得する、ステップ１４１０で始まる。いくつかの実施形態では、ネットワークノードは、図１に示されるＣＵであってもよい。送信状態フィードバックメッセージは、第２のネットワークノードから取得されてもよい。いくつかの実施形態では、第２のネットワークノードは、図４に示されるネットワークノードであってもよい。いくつかの実施形態では、第２のネットワークノードは基地局であってもよい。いくつかの実施形態では、第２のネットワークノードは、図８および１５に示される基地局であってもよい。いくつかの実施形態では、第２のネットワークノードは、図１に示されるＤＵであってもよい。送信状態フィードバックメッセージは、第２のネットワークノードが冗長データをＵＥに届けた（例えば、第２のネットワークノードによってＵＥに最初に届けられたデータが冗長ではなく、第３のネットワークノードによって保持されている同じデータが冗長である）ことの指示を含む。いくつかの実施形態では、送信状態フィードバックメッセージは第３のネットワークノードから取得される。いくつかの実施形態では、第３のネットワークノードは、図４に示されるネットワークノードであってもよい。いくつかの実施形態では、第３のネットワークノードは基地局であってもよい。いくつかの実施形態では、第３のネットワークノードは、図８および図１５に示される基地局であってもよい。いくつかの実施形態では、第２のネットワークノードは、図１に示されるＤＵであってもよい。例えば、送信状態フィードバックメッセージは、第３のネットワークノードとＵＥとの間の無線接続が劣化していることの指示を含む。接続が劣化しているので、第２のネットワークノードはデータをＵＥに伝送してもよい。接続が回復すると、第３のネットワークノードは、そのバッファメモリから、第２のネットワークノードがＵＥに伝送しているデータを破棄してもよい。
【０１０４】
ステップ１４２０で、ネットワークノードは、送信状態フィードバックメッセージに基づいて、第２のネットワークノードの第１のバッファメモリが、第３のネットワークノードの第２のバッファメモリに格納された第２のデータに対して冗長である第１のデータを含むと判定する。特定の実施形態では、ネットワークノードは、第２のネットワークノードに格納された第１のデータの状態を判定する。いくつかの実施形態では、ネットワークノードは、第２のネットワークノードおよび／または第３のネットワークノードの状態を判定する。いくつかの実施形態では、第２のネットワークノードは第１の無線アクセス技術（例えば、ＬＴＥ）を使用し、第３のネットワークノードは、第１のアクセス技術とは異なる第２のアクセス技術（例えば、ＮＲ）を使用する。いくつかの実施形態では、第２のネットワークノードおよび第３のネットワークノードは、交互にデータをユーザ機器に伝送する。ステップ１３０６からの例示のシナリオを使用して、第２のネットワークノードおよび第３のネットワークノードは両方ともデータ１〜１０を有してもよく、第２のネットワークノードは奇数の番号が付けられたデータを送信してもよく、第３のネットワークノードは偶数の番号が付けられたデータを送信してもよい。したがって、第２のネットワークノードがデータ番号１を送信すると、第３のネットワークノードに格納されたデータ番号１は冗長になる。
【０１０５】
ステップ１４３０で、ネットワークノードは、破棄メッセージを第２のネットワークノードに伝送する。破棄メッセージは、第２のネットワークノードが冗長データを破棄することの指示を含む。特定の実施形態では、破棄メッセージは、第２のネットワークノードに格納されたデータを破棄することの指示である。いくつかの実施形態では、ネットワークノードは、第２の破棄メッセージを第３のネットワークノードに伝送し、第３のネットワークノードは、第３のネットワークノードが第２のデータをユーザ機器に届けている場合、破棄メッセージを無視するように構成される。破棄メッセージは、第３のネットワークノードによって伝送されるＧＰＲＳトンネリングプロトコルユーザプレーン（ＧＴＰ−Ｕ）パケットデータユニット（ＰＤＵ）を含んでもよい。ＧＴＰ−Ｕ  ＰＤＵは、ＧＴＰ−Ｕ  ＰＤＵのネクストエクステンションヘッダ内の指示を含んでもよい。
【０１０６】
図１５は、特定の実施形態による、例示の基地局の概略ブロック図である。基地局１５００は、無線ネットワーク（例えば、図４に示される無線ネットワーク）で使用されてもよい。基地局１５００は、無線デバイスまたはネットワークノード（例えば、図４に示される無線デバイス４１０またはネットワークノード４６０）で実現されてもよい。基地局１５００は、図１３、図１４を参照して記載される例示の方法、および場合によっては本明細書に開示される他の任意のプロセスまたは方法を実施するように動作可能である。また、図１３および図１４の方法は必ずしも基地局１５００のみによって実施されなくてもよいことが理解されるべきである。方法の少なくともいくつかの動作は、１つまたは複数の他のエンティティによって実施することができる。
【０１０７】
基地局１５００は、１つもしくは複数のマイクロプロセッサまたはマイクロコントローラを含んでもよい、処理回路構成、ならびにデジタル信号プロセッサ（ＤＳＰ）、専用デジタル論理などを含んでもよい、他のデジタルハードウェアを備えてもよい。いくつかの実施形態では、基地局１５００の処理回路構成は、図４に示される処理回路構成であってもよい。処理回路構成は、読出し専用メモリ（ＲＯＭ）、ランダムアクセスメモリ、キャッシュメモリ、フラッシュメモリデバイス、光学記憶デバイスなど、１つまたは複数のタイプのメモリを含んでもよい、メモリに格納されたプログラムコードを実行するように構成されてもよい。メモリに格納されたプログラムコードとしては、１つまたは複数の電気通信および／またはデータ通信プロトコルを実行するプログラム命令、ならびにいくつかの実施形態において本明細書に記載される技術の１つまたは複数を実施する命令が挙げられる。いくつかの実現例では、処理回路構成は、記憶ユニット１５１０、取得ユニット１５２０、破棄ユニット１５３０、および基地局１５００の他の任意の適切なユニットに、本開示の１つまたは複数の実施形態による対応する機能を実施させるのに使用されてもよい。
【０１０８】
図１５に示されるように、基地局１５００は、記憶ユニット１５１０、取得ユニット１５２０、および破棄ユニット１５３０を含む。記憶ユニット１５１０は、第１のデータをバッファメモリに格納するように構成されてもよい。バッファメモリに格納される第１のデータは、ＵＥに送信されるべきデータである。いくつかの実施形態では、バッファメモリは複数のデータを格納するのに使用されてもよい。バッファに格納される複数のデータの各データピースは、各データピースに関連付けられた番号を有してもよい。これは、バッファ内の特定のデータピースを特定するのに使用されてもよい。データピースのサイズは、実施形態および使用されるプロトコルに応じて異なってもよい。
【０１０９】
取得ユニット１５２０は、破棄メッセージを取得するように構成されてもよい。破棄メッセージは、基地局が確認応答メッセージをＵＥから受信する前に取得される。確認応答メッセージは、一般的に、ＵＥが第１のデータを受信したことを示すのにＵＥによって使用される。いくつかの例では、基地局は、第１のデータに対してＵＥが確認応答メッセージを伝送しないことがあるか、または確認応答メッセージをこの基地局に伝送しないことがあるので、確認応答メッセージを決して受信しないことがある。破棄メッセージはネットワークノードから取得されてもよい。いくつかの実施形態では、破棄メッセージは、別の基地局に格納された第２のデータがＵＥによって受信されているという確認応答メッセージが、ネットワークノード（例えば、ＤＵおよび／またはＣＵ）によって受信された後に取得される。確認応答メッセージはＰＤＣＰ  ＡＣＫであってもよい。破棄メッセージは、ネットワークノードによって伝送されるＧＰＲＳトンネリングプロトコルユーザプレーン（ＧＴＰ−Ｕ）パケットデータユニット（ＰＤＵ）を含んでもよい。ＧＴＰ−Ｕ  ＰＤＵは、ＧＴＰ−Ｕ  ＰＤＵのネクストエクステンションヘッダ内の指示を含んでもよい。
【０１１０】
破棄ユニット１５３０は、破棄メッセージに基づいて、第１のデータをバッファから破棄するように構成されてもよい。第１のデータは、バッファの他のデータと共に破棄されてもよい。破棄されるデータは、それぞれのデータピースと関連付けられた番号に基づいて特定されてもよい。いくつかの例では、基地局は、破棄メッセージの指定の番号以下のバッファ内の全てのデータを破棄してもよい。つまり、バッファ内のデータが１〜１０と番号付けされ（実際の番号付けは実施形態ごとに異なってもよいが、便宜上１〜１０を使用する）、破棄メッセージが、番号４以下の全てのデータが破棄されるべきであると示している場合、基地局は番号１、２、３、および４のデータを破棄してもよい。いくつかの例では、基地局は、破棄メッセージにおける破棄されるべきデータの列挙された番号に基づいて、特定のデータピースを破棄してもよい。上記例に戻ると、破棄メッセージが、２、５、および７と番号付けられたデータが破棄されるべきであると示している場合、基地局は２、５、および７と番号付けられたデータを破棄してもよい。
【０１１１】
図１６は、特定の実施形態による、例示のネットワークノードの概略ブロック図である。ネットワークノード１６００は、無線ネットワーク（例えば、図４に示される無線ネットワーク）で使用されてもよい。ネットワークノード１６００は、無線デバイス（例えば、図４に示される無線デバイス４１０）で実現されてもよい。ネットワークノード１６００は、図１３、図１４を参照して記載される例示の方法、および場合によっては本明細書に開示される他の任意のプロセスまたは方法を実施するように動作可能である。また、図１３および図１４の方法は必ずしも基地局１５００のみによって実施されなくてもよいことが理解されるべきである。方法の少なくともいくつかの動作は、１つまたは複数の他のエンティティによって実施することができる。
【０１１２】
ネットワークノード１６００は、１つもしくは複数のマイクロプロセッサまたはマイクロコントローラを含んでもよい、処理回路構成、ならびにデジタル信号プロセッサ（ＤＳＰ）、専用デジタル論理など含んでもよい、他のデジタルハードウェアを備えてもよい。いくつかの実施形態では、基地局１５００の処理回路構成は、図４に示される処理回路構成であってもよい。処理回路構成は、読出し専用メモリ（ＲＯＭ）、ランダムアクセスメモリ、キャッシュメモリ、フラッシュメモリデバイス、光学記憶デバイスなど、１つまたは複数のタイプのメモリを含んでもよい、メモリに格納されたプログラムコードを実行するように構成されてもよい。メモリに格納されたプログラムコードとしては、１つまたは複数の電気通信および／またはデータ通信プロトコルを実行するプログラム命令、ならびにいくつかの実施形態において本明細書に記載される技術の１つまたは複数を実施する命令が挙げられる。いくつかの実現例では、処理回路構成は、取得ユニット１６１０、判定ユニット１６２０、送信ユニット１６３０、およびネットワークノード１６００の他の任意の適切なユニットに、本開示の１つまたは複数の実施形態による対応する機能を実施させるのに使用されてもよい。
【０１１３】
図１６に示されるように、ネットワークノード１６００は、取得ユニット１６１０と、判定ユニット１６２０と、送信ユニット１６３０とを含む。取得ユニット１６１０は、送信状態フィードバックメッセージを取得するように構成されてもよい。送信状態フィードバックメッセージは、第２の基地局から取得されてもよい。送信状態フィードバックメッセージは、第２の基地局が冗長データをＵＥに届けた（例えば、第２の基地局によってＵＥに最初に届けられたデータが冗長ではなく、第１の基地局によって保持されている同じデータが冗長である）ことの指示を含む。いくつかの実施形態では、送信状態フィードバックメッセージは第１の基地局から取得される。例えば、送信状態フィードバックメッセージは、第１の基地局とＵＥとの間の無線接続が劣化していることの指示を含む。接続が劣化しているので、第２の基地局はデータをＵＥに伝送してもよい。接続が回復すると、第１の基地局は、そのバッファメモリから、第２の基地局がＵＥに伝送しているデータを破棄してもよい。
【０１１４】
判定ユニット１６２０は、送信状態フィードバックメッセージに基づいて、第１の基地局のバッファメモリが、第２の基地局の第２のバッファメモリに格納された第２のデータに対して冗長である、第１のデータを包含していると判定するように構成されてもよい。いくつかの実施形態では、ネットワークノードは第２の破棄メッセージを第１の基地局に伝送し、第１の基地局は、第１の基地局が第２のデータをユーザ機器に届けている場合、破棄メッセージを無視するように構成される。いくつかの実施形態では、第１の基地局は第１の無線アクセス技術（例えば、ＬＴＥ）を使用し、第２の基地局は、第１のアクセス技術とは異なる第２のアクセス技術（例えば、ＮＲ）を使用する。いくつかの実施形態では、第１の基地局および第２の基地局は交互にデータをＵＥに伝送する。ステップ１３０６からの例示のシナリオを使用して、第１および第２の基地局は両方ともデータ１〜１０を有してもよく、第１の基地局は奇数の番号が付けられたデータを送信してもよく、第２の基地局は偶数の番号が付けられたデータを送信してもよい。したがって、第１の基地局がデータ番号１を送信すると、第２の基地局に格納されたデータ番号１は冗長になる。
【０１１５】
送信ユニット１６３０は、破棄メッセージを第１の基地局に伝送するように構成されてもよい。破棄メッセージは、第１の基地局が冗長データを破棄することの指示を含んでもよい。破棄メッセージは、第３のネットワークノードによって伝送されるＧＰＲＳトンネリングプロトコルユーザプレーン（ＧＴＰ−Ｕ）パケットデータユニット（ＰＤＵ）を含んでもよい。ＧＴＰ−Ｕ  ＰＤＵは、ＧＴＰ−Ｕ  ＰＤＵのネクストエクステンションヘッダ内の指示を含んでもよい。
【０１１６】
ユニットという用語は、エレクトロニクス、電気デバイス、および／または電子デバイスの分野における従来の意味を有してもよく、例えば、本明細書に記載されるような、それぞれのタスク、手順、計算、出力、および／または表示機能などを実施する、電気および／または電子回路構成、デバイス、モジュール、プロセッサ、メモリ、論理固体および／または離散的デバイス、コンピュータプログラムまたは命令を含んでもよい。
【０１１７】
様々な実施形態によれば、本明細書の特徴の利点手は、冗長データがエアインターフェースを通じて送信される前に破棄することができ、したがって貴重な帯域幅を節約できることである。別の利点は、カバレッジを一時的に失ったＤＵがその冗長データのバッファを消去することができ、カバレッジが回復するとすぐに新しいデータを送信できる状態にあることである。
【０１１８】
図面中のプロセスは、本発明の特定の実施形態によって実施される動作の特定の順序を示すことがあるが、かかる順序は例示である（例えば、代替実施形態は、異なる順序で動作を実施したり、特定の動作を組み合わせたり、特定の動作が重なったりなどしてもよい）ことが理解されるべきである。
【０１１９】
本発明についていくつかの実施形態に関して記載してきたが、当業者であれば、本発明は記載される実施形態に限定されず、添付の特許請求の範囲の趣旨および範囲内で、修正および変更を伴って実施できることを認識するであろう。したがって、本明細書は、限定ではなく例示と見なされるべきである。
【図１】
2020526091.tif 000003
【図２】
2020526091.tif 000004
【図３】
2020526091.tif 000005
【図４】
2020526091.tif 000006
【図５】
2020526091.tif 000007
【図６】
2020526091.tif 000008
【図７】
2020526091.tif 000009
【図８】
2020526091.tif 000010
【図９】
2020526091.tif 000011
【図１０】
2020526091.tif 000012
【図１１】
2020526091.tif 000013
【図１２】
2020526091.tif 000014
【図１３】
2020526091.tif 000015
【図１４】
2020526091.tif 000016
【図１５】
2020526091.tif 000017
【図１６】
2020526091.tif 000018
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ネットワークノード（１５００）で使用される、帯域内制御シグナリングを利用するバッファ処理の方法（１３００）であって、
ユーザ機器に送信されるべき複数のデータを、バッファメモリ（１５１０）に格納することであって、前記複数のデータの各データが関連付けられた番号を有し、前記複数のデータがユーザ機器（８３０）に送信されるべき第１のデータを含み、前記第１のデータがそれに関連付けられた第１の番号を有する、格納することと、
前記第１の番号以下の前記複数のデータの全てのデータが破棄されるべきであることを示す、前記第１の番号を含む破棄メッセージを、第２のネットワークノード（１６００；１３２０）から取得することと、
前記破棄メッセージ（１３３０）に基づいて、前記第１のデータおよび少なくとも１つの追加データを破棄することとを含む、方法（１３００）。
【請求項２】
前記第１のデータが、第３のネットワークノード（１５００；１３１０）に格納された第２のデータに対して冗長である、請求項１に記載の方法（１３００）。
【請求項３】
前記破棄メッセージが、ＧＰＲＳトンネリングプロトコルユーザプレーン（ＧＴＰ−Ｕ）パケットデータユニット（ＰＤＵ）を含む、請求項２に記載の方法（１３００）。
【請求項４】
前記ＧＰＲＳトンネリングプロトコルユーザプレーンパケットデータユニットが、ＧＴＰ−Ｕ  ＰＤＵのネクストエクステンションヘッダ内の指示を含む、請求項３に記載の方法（１３００）。
【請求項５】
前記破棄メッセージが、第２のデータが前記ユーザ機器（８３０）によって受信されていることの確認応答メッセージが前記第２のネットワークノード（１６００）によって受信された後に取得される、請求項１から４のいずれか一項に記載の方法（１３００）。
【請求項６】
ネットワークノード（１６００）で使用される、帯域内制御シグナリングを利用するバッファ処理の方法（１４００）であって、
送信状態フィードバックメッセージ（１４１０）を取得することと、
第２のネットワークノード（１５００）の第１のバッファメモリ（１５１０）が、それに関連付けられた第１の番号を有する第１のデータを包含すると判定することと、
前記第１の番号の後の第２のデータと関連付けられた第２の番号を含み、前記第２のネットワークノード（１５００）が前記第１のデータを含む前記第２の番号以下の全てのデータを破棄すること（１４３０）の指示を含む破棄メッセージを、前記第２のネットワークノード（１５００）に伝送することとを含む、方法（１４００）。
【請求項７】
前記第１のデータが、第３のネットワークノード（１５００；１４２０）の第２のバッファメモリ（１５１０）に格納された第２のデータに対して冗長である、請求項６に記載の方法（１４００）。
【請求項８】
前記送信状態フィードバックメッセージが、前記第３のネットワークノード（１５００）から取得され、前記第３のネットワークノード（１５００）が前記第２のデータをユーザ機器（８３０）に届けたことの指示を含む、請求項７に記載の方法（１４００）。
【請求項９】
前記送信状態フィードバックメッセージが、前記第２のネットワークノード（１５００）から取得され、前記第２のネットワークノード（１５００）とユーザ機器（８３０）との間の無線接続が劣化していることの指示を含む、請求項７に記載の方法（１４００）。
【請求項１０】
前記第２のネットワークノード（１５００）および前記第３のネットワークノード（１５００）が基地局である、請求項７に記載の方法（１４００）。
【請求項１１】
第２の破棄メッセージを前記第３のネットワークノード（１５００）に伝送することをさらに含み、前記第３のネットワークノード（１５００）が、前記第３のネットワークノード（１５００）が前記第２のデータをユーザ機器（８３０）に届けている場合、前記破棄メッセージを無視するように構成される、請求項７に記載の方法（１４００）。
【請求項１２】
前記第２のネットワークノード（１５００）が第１の無線アクセス技術を使用し、前記第３のネットワークノード（１５００）が第２の無線アクセス技術を使用し、前記第１の無線アクセス技術が前記第２の無線アクセス技術とは異なる、請求項７から１１のいずれか一項に記載の方法（１４００）。
【請求項１３】
前記第１の無線アクセス技術がＬｏｎｇ−Ｔｅｒｍ  Ｅｖｏｌｕｔｉｏｎであり、前記第２の無線アクセス技術が新無線（ＮＲ）である、請求項１２に記載の方法（１４００）。
【請求項１４】
前記第２のネットワークノード（１５００）および前記第３のネットワークノード（１５００）が交互にデータをユーザ機器（８３０）に伝送する、請求項７から１３のいずれか一項に記載の方法（１４００）。
【請求項１５】
前記破棄メッセージがＧＰＲＳトンネリングプロトコルユーザプレーン（ＧＴＰ−Ｕ）パケットデータユニット（ＰＤＵ）を含む、請求項７から１４のいずれか一項に記載の方法（１４００）。
【請求項１６】
前記ＧＰＲＳトンネリングプロトコルユーザプレーンパケットデータユニットが、ＧＴＰ−Ｕ  ＰＤＵのネクストエクステンションヘッダ内の指示を含む、請求項１５に記載の方法（１４００）。
【請求項１７】
帯域内制御シグナリングを利用するバッファ処理のためのネットワークノード（１５００）であって、
少なくとも１つの処理回路構成と、
プロセッサ実行可能命令を格納する、少なくとも１つの記憶装置（１５１０）とを備え、前記プロセッサ実行可能命令が前記処理回路構成によって実行されると、ネットワークノード（１５００）に、
ユーザ機器（８３０）に送信されるべき複数のデータを格納することであって、前記複数のデータの各データが関連付けられた番号を有し、前記複数のデータがユーザ機器（８３０）に送信されるべき第１のデータを含み、前記第１のデータがそれに関連付けられた第１の番号を有する、格納することを行わさせ、
前記第１の番号以下の前記複数のデータの全てのデータが破棄されるべきであることを示す、前記第１の番号を含む破棄メッセージを、第２のネットワークノード（１６００）から取得させ、
前記破棄メッセージに基づいて、前記第１のデータおよび少なくとも１つの追加データを破棄させる、ネットワークノード（１５００）。
【請求項１８】
前記第１のデータが、第３のネットワークノード（１５００）に格納された第２のデータに対して冗長である、請求項１７に記載のネットワークノード（１５００）。
【請求項１９】
前記破棄メッセージが、ＧＰＲＳトンネリングプロトコルユーザプレーン（ＧＴＰ−Ｕ）パケットデータユニット（ＰＤＵ）を含む、請求項１８に記載のネットワークノード（１５００）。
【請求項２０】
前記ＧＰＲＳトンネリングプロトコルユーザプレーンパケットデータユニットが、ＧＴＰ−Ｕ  ＰＤＵのネクストエクステンションヘッダ内の指示を含む、請求項１９に記載のネットワークノード（１５００）。
【請求項２１】
前記破棄メッセージが、第２のデータが前記ユーザ機器（８３０）によって受信されていることの確認応答メッセージが前記第２のネットワークノード（１６００）によって受信された後に取得される、請求項１７から２０のいずれか一項に記載のネットワークノード（１５００）。
【請求項２２】
帯域内制御シグナリングを利用するバッファ処理のためのネットワークノード（１６００）であって、
少なくとも１つの処理回路構成と、
プロセッサ実行可能命令を格納する、少なくとも１つの記憶装置とを備え、前記プロセッサ実行可能命令が前記処理回路構成によって実行されると、ネットワークノード（１６００）に、
送信状態フィードバックメッセージを取得させ、
第２のネットワークノード（１５００）の第１のバッファメモリ（１５１０）が、関連付けられた第１の番号を有する第１のデータを包含すると判定させ、
前記第１の番号の後の第２のデータと関連付けられた第２の番号を含み、前記第２のネットワークノード（１５００）が前記第１のデータを含む前記第２の番号以下の全てのデータを破棄することを指示する破棄メッセージを、前記第２のネットワークノード（１５００）に伝送させる、ネットワークノード（１６００）。
【請求項２３】
前記第１のデータが、第３のネットワークノード（１５００）の第２のバッファメモリ（１５１０）に格納された第２のデータに対して冗長である、請求項２２に記載のネットワークノード（１６００）。
【請求項２４】
前記送信状態フィードバックメッセージが、前記第３のネットワークノード（１５００）から取得され、前記第３のネットワークノード（１５００）が前記第２のデータをユーザ機器（８３０）に届けたことの指示を含む、請求項２３に記載のネットワークノード（１６００）。
【請求項２５】
前記送信状態フィードバックメッセージが、前記第２のネットワークノード（１５００）から取得され、前記第２のネットワークノード（１５００）とユーザ機器（８３０）との間の無線接続が劣化していることの指示を含む、請求項２３に記載のネットワークノード（１６００）。
【請求項２６】
前記第２のネットワークノード（１５００）および前記第３のネットワークノード（１５００）が基地局である、請求項２３に記載のネットワークノード（１６００）。
【請求項２７】
前記プロセッサ実行可能命令が、実行されると、前記ネットワークノード（１６００）に、第２の破棄メッセージを前記第３のネットワークノード（１５００）に伝送させ、前記第３のネットワークノード（１５００）が、前記第３のネットワークノード（１５００）が前記第２のデータをユーザ機器（８３０）に届けている場合、前記破棄メッセージを無視するように構成される、請求項２３に記載のネットワークノード（１６００）。
【請求項２８】
前記第２のネットワークノード（１５００）が第１の無線アクセス技術を使用し、前記第３のネットワークノード（１５００）が第２の無線アクセス技術を使用し、前記第１の無線アクセス技術が前記第２の無線アクセス技術とは異なる、請求項２３から２７のいずれか一項に記載のネットワークノード（１６００）。
【請求項２９】
前記第１の無線アクセス技術がＬｏｎｇ−Ｔｅｒｍ  Ｅｖｏｌｕｔｉｏｎであり、前記第２の無線アクセス技術が新無線（ＮＲ）である、請求項２８に記載のネットワークノード（１６００）。
【請求項３０】
前記第２のネットワークノード（１５００）および前記第３のネットワークノード（１５００）が交互にデータをユーザ機器（８３０）に伝送する、請求項２３から２９のいずれか一項に記載のネットワークノード（１６００）。
【請求項３１】
前記破棄メッセージが、ＧＰＲＳトンネリングプロトコルユーザプレーン（ＧＴＰ−Ｕ）パケットデータユニット（ＰＤＵ）を含む、請求項２３から３０のいずれか一項に記載のネットワークノード（１６００）。
【請求項３２】
前記ＧＰＲＳトンネリングプロトコルユーザプレーンパケットデータユニットが、ＧＴＰ−Ｕ  ＰＤＵのネクストエクステンションヘッダ内の指示を含む、請求項３１に記載のネットワークノード（１６００）。
【請求項３３】
コンピュータ可読プログラムコードを格納する非一時的コンピュータ可読媒体（１５００）を備える、コンピュータプログラム製品であって、当該コンピュータ可読プログラムが、
ユーザ機器に送信されるべき複数のデータを、バッファメモリに格納するプログラムコードであって、前記複数のデータの各データが関連付けられた番号を有し、前記複数のデータがユーザ機器（８３０）に送信されるべき第１のデータを含み、前記第１のデータがそれに関連付けられた第１の番号を有する、プログラムコードと、
前記第１の番号以下の前記複数のデータの全てのデータが破棄されるべきであることを示す、前記第１の番号を含む破棄メッセージを、第２のネットワークノードから取得するプログラムコードと、
前記破棄メッセージに基づいて、前記第１のデータおよび少なくとも１つの追加データを破棄するプログラムコードとを含む、コンピュータプログラム製品。
【請求項３４】
コンピュータ可読プログラムコードを格納する非一時的コンピュータ可読媒体（１６００）を備える、コンピュータプログラム製品であって、当該コンピュータ可読プログラムが、
送信状態フィードバックメッセージを取得するプログラムコードと、
第２のネットワークノードの第１のバッファメモリが、関連付けられた第１の番号を有する第１のデータを包含すると判定するプログラムコードと、
前記第１の番号の後の第２のデータと関連付けられた第２の番号を含み、前記第２のネットワークノードが前記第１のデータを含む前記第２の番号以下の全てのデータを破棄することの指示を含む破棄メッセージを、前記第２のネットワークノードに伝送するプログラムコードとを含む、コンピュータプログラム製品。
【国際調査報告】
2020526091.tif 000019
2020526091.tif 000020